(57)【要約】【課題】インタラクティブなデジタルカタログを構築する方法、及び前記方法を応用するコンピューターが読み取り可能な記憶媒体、並びにインタラクティブなデジタルカタログを提供する。【解決手段】インタラクティブなデジタルカタログを構築する方法は、以下のステップを含む。先ず、少なくとも１ページのページを含むインタラクティブデジタルカタログが作成される。次いで、前記少なくとも１つの操作可能な統一要素が前記少なくとも１ページのページ上に所定のルールに基づいてレイアウトされ、前記少なくとも１つの操作可能な統一要素が表示及び／または管理される。本発明は上述の方法を実行するためのコンピュータープログラムを有するコンピューターが読み取り可能な記憶媒体を提供する。本発明は上述の方法により構築されるインタラクティブデジタルカタログを更に提供する。【選択図】図７
2018500676.tif 000002
【特許請求の範囲】
【請求項１】
少なくとも１つの操作可能な統一要素の表示及び／または管理に用いられ、
少なくとも１ページのページ（ｐａｇｅ）を含むインタラクティブデジタルカタログが作成されるステップと、
前記少なくとも１つの操作可能な統一要素が前記少なくとも１ページのページ上に所定のルールに基づいてレイアウトされ、前記少なくとも１つの操作可能な統一要素が表示及び／または管理されるステップと、を含むことを特徴とするインタラクティブなデジタルカタログを構築する方法。
【請求項２】
前記少なくとも１つの操作可能な統一要素は、少なくとも１つの統一情報ユニット及び／または少なくとも１つの統一ツールを含むことを特徴とする、請求項１に記載のインタラクティブなデジタルカタログを構築する方法。
【請求項３】
前記少なくとも１つの統一情報ユニットは、少なくとも１つの情報源から取得される少なくとも１つの原情報が統一された後に形成され、及び／または前記少なくとも１つの統一ツールは少なくとも１つの情報源から取得される少なくとも１つの第一オリジナルツールが統一された後に形成されることを特徴とする、請求項２に記載のインタラクティブなデジタルカタログを構築する方法。
【請求項４】
前記少なくとも１つの統一ツールは、動的情報の表示、情報の収集、前記少なくとも１つの統一情報ユニットの操作、及び／または取引の実行に用いられることを特徴とする、請求項２に記載のインタラクティブなデジタルカタログを構築する方法。
【請求項５】
前記操作可能な統一要素の統一要素ソースが拡充されることを特徴とする、請求項１に記載のインタラクティブなデジタルカタログを構築する方法。
【請求項６】
前記少なくとも１つの操作可能な統一要素はアイコン、テキスト、及び入力項目の内の少なくとも１つとして表示されることを特徴とする、請求項１に記載のインタラクティブなデジタルカタログを構築する方法。
【請求項７】
前記入力項目はシングル入力項目、マルチ入力項目、テキスト入力項目、またはイベント入力項目であることを特徴とする、請求項６に記載のインタラクティブなデジタルカタログを構築する方法。
【請求項８】
前記インタラクティブデジタルカタログは書籍の形態として表示され、且つ前記少なくとも１ページのページは少なくとも１ページのカバーページ、少なくとも１ページのインデックスページ、及び／または少なくとも１ページのコンテンツページを含むことを特徴とする、請求項１に記載のインタラクティブなデジタルカタログを構築する方法。
【請求項９】
前記少なくとも１ページのインデックスページは、前記少なくとも１ページのコンテンツページを開くための少なくとも１つのブックマークを有することを特徴とする、請求項８に記載のインタラクティブなデジタルカタログを構築する方法。
【請求項１０】
前記少なくとも１ページのコンテンツページは、少なくとも１つのセクションとしてグループ化されることを特徴とする、請求項８に記載のインタラクティブなデジタルカタログを構築する方法。
【請求項１１】
前記少なくとも１ページのインデックスページは、前記少なくとも１つのセクションを開くための少なくとも１つのブックマークを有することを特徴とする、請求項１０に記載のインタラクティブなデジタルカタログを構築する方法。
【請求項１２】
前記インタラクティブデジタルカタログは、前記少なくとも１ページのカバーページ、前記少なくとも１ページのインデックスページ、及び前記少なくとも１ページのコンテンツページの順となるように編集されることを特徴とする、請求項８に記載のインタラクティブなデジタルカタログを構築する方法。
【請求項１３】
前記少なくとも１ページのインデックスページは前記少なくとも１ページのカバーページを含むことを特徴とする、請求項８に記載のインタラクティブなデジタルカタログを構築する方法。
【請求項１４】
前記インタラクティブデジタルカタログは３次元方式で表示されて閲覧されることを特徴とする、請求項１に記載のインタラクティブなデジタルカタログを構築する方法。
【請求項１５】
前記少なくとも１ページのページは複数枚のページを含み、且つ前記複数枚のページはＺ軸方向に沿って少なくとも互いの一部が重畳されて配列されることを特徴とする、請求項１４に記載のインタラクティブなデジタルカタログを構築する方法。
【請求項１６】
前記所定のルールは、前記少なくとも１つの操作可能な統一要素に対する拡大縮小、移動、及び／またはテンプレートの適用を実行してレイアウトを変更させることを特徴とする、請求項１に記載のインタラクティブなデジタルカタログを構築する方法。
【請求項１７】
カタログランチャーが提供され、前記インタラクティブデジタルカタログが起動されるステップと、
少なくとも１つのアプリケーションプログラムインタフェースが前記インタラクティブデジタルカタログに提供され、前記少なくとも１つの操作可能な統一要素の内の１つによる前記少なくとも１つの操作可能な統一要素の内の他の１つに対する管理及び／または操作が許可され、或いは前記少なくとも１つの操作可能な統一要素の内の１つが他の１つと協力して動作することが許可されるステップと、を更に含むことを特徴とする、請求項１に記載のインタラクティブなデジタルカタログを構築する方法。
【請求項１８】
前記少なくとも１つの操作可能な統一要素が操作されると、前記インタラクティブデジタルカタログには、前記少なくとも１つの操作可能な統一要素に連結される少なくとも１つの実行可能なコンポーネントが前記カタログランチャーにより挿入され、タスクが実行されることを特徴とする、請求項１７に記載のインタラクティブなデジタルカタログを構築する方法。
【請求項１９】
前記少なくとも１つの実行可能なコンポーネントは前記インタラクティブデジタルカタログにビルトイン及び／またはプラグインされることを特徴とする、請求項１８に記載のインタラクティブなデジタルカタログを構築する方法。
【請求項２０】
インタラクティブデジタルカタログの構築に用いられ、少なくとも１つの操作可能な統一要素の表示及び／または管理に使用され、コンピュータープログラムを含み、且つ前記コンピュータープログラムが実行される際に、
少なくとも１ページのページを含む前記インタラクティブデジタルカタログが作成されるステップと、
前記少なくとも１つの操作可能な統一要素が前記少なくとも１ページのページ上に所定のルールに基づいてレイアウトされ、前記少なくとも１つの操作可能な統一要素が表示及び管理されるステップと、が実行されることを特徴とするコンピューター読み取り可能な記憶媒体。
【請求項２１】
前記コンピュータープログラムが実行される際に、
カタログランチャーが提供され、前記インタラクティブデジタルカタログが起動されるステップと、
少なくとも１つのアプリケーションプログラムインタフェースが前記インタラクティブデジタルカタログに提供され、前記少なくとも１つの操作可能な統一要素の内の１つによる前記少なくとも１つの操作可能な統一要素の内の他の１つに対する管理及び／または操作が許可され、或いは前記少なくとも１つの操作可能な統一要素の内の１つが他の１つと協力して動作することが許可されるステップとが更に実行されることを特徴とする、請求項２０に記載のコンピューター読み取り可能な記憶媒体。
【請求項２２】
前記操作可能な統一要素が操作されると、前記インタラクティブデジタルカタログには、前記操作可能な統一要素に連結される実行可能なコンポーネントが前記カタログランチャーにより挿入され、タスク（ｔａｓｋ）が実行されることを特徴とする、請求項２１に記載のコンピューター読み取り可能な記憶媒体。
【請求項２３】
少なくとも１ページのページを含み、前記少なくとも１ページのページは少なくとも１つの操作可能な統一要素を有し、前記少なくとも１つの操作可能な統一要素は所定のルールに基づいて前記少なくとも１ページのページ上にレイアウトされることを特徴とするインタラクティブデジタルカタログ。
【請求項２４】
前記少なくとも１つの操作可能な統一要素は、少なくとも１つの統一情報ユニット及び／または少なくとも１つの統一ツールを含むことを特徴とする、請求項２３に記載のインタラクティブデジタルカタログ。
【請求項２５】
前記少なくとも１つの統一情報ユニットは少なくとも１つの情報源から取得される少なくとも１つの原情報が統一された後に形成され、及び／または前記少なくとも１つの統一ツールは少なくとも１つの情報源から取得される少なくとも１つの第一オリジナルツールが統一された後に形成されることを特徴とする、請求項２４に記載のインタラクティブデジタルカタログ。
【請求項２６】
前記インタラクティブデジタルカタログは書籍の形態として表示され、且つ前記少なくとも１ページのページは少なくとも１ページのカバーページ、少なくとも１ページのインデックスページ、及び／または少なくとも１ページのコンテンツページを含むことを特徴とする、請求項２３に記載のインタラクティブデジタルカタログ。
【請求項２７】
前記所定のルールは前記少なくとも１つの操作可能な統一要素に対する拡大縮小、移動、及び／またはテンプレートの適用を実行してレイアウトを変更させることを特徴とする、請求項２３に記載のインタラクティブデジタルカタログ。
【発明の詳細な説明】
【技術分野】
【０００１】
本発明は、インタラクティブなデジタルカタログを構築する方法に関し、より詳しくは、上記方法を応用するコンピューターが読み取り可能な記憶媒体、及びインタラクティブなデジタルカタログに関する。
【背景技術】
【０００２】
カタログの基本的な目的は、興味がある製品、サービスまたはデータの集合を標準化された形式で構成させて、明確且つ要約された情報として個人または団体に対して提供するものであり、紙に印刷したり、スクリーンやパソコンモニターに表示したりする等の様々な方式で伝送される。カタログは通常構造化されたリストやタイトル、コース内容やアイテム等が項目別に表示され、且つリスト化されたアイテムに関する情報説明や説明画像を含み、展示や販売等に使用される。一般的な従来の形式のカタログとして、通信販売カタログ、小売りカタログ、割引カタログ、サプライヤーカタログ、サービスカタログ、公告、チラシ、ポスター等を含む。より現代的なカタログでは製品の情報を単一のデータ領域から何百ページものコンテンツにまで広げ、テレビや商業放送等を通してあらゆる形式で直接的に、或いは潜在意識に訴えかける形で、アイテムの主な特徴やセール情報を消費者に届け、購買者を増やしている。
【０００３】
次に、小売業者やベンダーが情報を伝送するためにデザイン、製作、出版、および発行のために多額の費用をかけているため、印刷広告の製作費は非常に高く、こうして消費者にカタログ、パンフレット、雑誌、チラシ、広告板等が提供されている。上述の小売業者やベンダーが投入するコスト以外、消費者に届けるための運送費も更にかかり、小売業者やベンダーと消費者との間で衝突が起こる原因となっている。
【０００４】
インターネットの出現により新しい情報媒体が創造され、デジタル化されたカタログが提供されるようになった。例えば、バナー、広告メール、検索エンジン、電子ハンドブック、電子カタログ、オンライン刊行物等がある。カタログは情報サービスと見做すこともでき、メディア出版業者にとっては、雑誌および書籍も含まれる。カタログの他の例としては、映画、テレビ番組、ドキュメンタリー、音楽、ラジオ番組等のエンターテイメント商品を更に含む。上述のエンターテイメント商品及びカタログの主な目的は一致するため、即ち、共に構造化された方式で関連製品、サービス、または情報のキーデータが構成され、ユーザーは商取引や必要な情報を取得するために利用している。
【０００５】
現在、現代人は毎日何らかの形式のカタログを使用または閲覧しているが、これは人の思考は無意識の内に不断で物事をカタログ化していることに起因する。インターネットの発展により、カタログは印刷媒体からデジタル媒体へと変化し、ユーザーがインターネットを介していつでもどこでもカタログにアクセスできるようになった。また、インターネットを通して製品及びサービスのカタログを編集することはより効率的である。即ち、インターネットを利用すれば、ベンダーまたはプロバイダーとユーザーとの間でインタラクティブな方法により個人的な商取引が可能になるため、一般的な従来の小売業店との間での相互取引に比べて、選択及び購買にかかる時間と労力とが明らかに減少する。インターネットとデジタル出版との結合により政策決定速度が加速し、更に消費者の購買形態や習慣にも予測不能な動的変化が生じた、このため、インターネットとデジタル出版との結合が産業サプライチェーンに与える影響は突出したものといえる。
【０００６】
デジタル出版はウェブサイト及び電子メールを介して達成される。現在電子商取引においては、セールカタログが非常に人気を博しており、多くの小売業者がインターネットを利用することで目に見えた成果をあげている。換言すれば、現在カタログの編集方式はコンピューター技術の発展に伴って大幅に拡大し、オンラインカタログが電子商取引において極めて重要な役割を果たしている。
【０００７】
また、ウェブサイト上では大量の情報が得られるが、これは消費者の負荷能力を超えており、情報伝達固有の問題を反映している。また、従来の技術には限界があり、ユーザーはウェブサイトから効率的に大量の有用な情報を獲得することができないでいる。このため、効率的なカタログを実現するために、適合するユーザーまたは特定のユーザー（即ち、製品やサービスに関する情報に興味があるユーザー）にのみ伝送されるように制限させる必要がある。また、いわゆる効率的なカタログは、パーソナライズされたインタラクション機能を有し、シンプルであり、カスタマイズされ、ユーザーの多様な需要に効果的に対応したものである。よって、印刷された情報をカタログ形式に符合させ、ネットワークサービスを介してカタログを適切な場所に配置させ、適切に使用されるようにすることが極めて重要な課題である。
【０００８】
なお、大多数のカタログのコンテンツは製品、材料、またはサービス等の共通属性を含み、高速検索には適しているが、検索目的にマッチしているいかは保証できない。また、製品の違いには厳格な制限が設けられており、ベンダーがその製品を勧める理由を説明することが難しかった。さらには、カタログデータは均質化されてデータベース化され、制限されたカタログ形式に適合させている。このため、時代遅れの制限を打ち破る極めて動的でパーソナライズされた、ユーザー指向のカタログシステムが求められている。そうして、製品の特性が効率的に表示されるようにし、様々なユーザーの趣味やライフスタイルに対応させる。
【０００９】
次に、従来の検索エンジンは十分強力であるとは言えず、ネットワーク中に散らばる多様な情報源の中から雑多な情報を効率的に検索することができない。ゆえに、散在する情報を効率的に検索し、分類すると同時に高い拡張性を有する自動化された解決方法を提供することができれば、多様な情報源から得られる複数のデータを有する電子デジタルカタログを作成するのに極めて役立つ。
【００１０】
さらには、紙製の出版物及び放送メディアは依然隆盛しているが、自分のコンピューターを使用し、インターネットを通してニュースや、雑誌、テレビ等を見る消費者が日に日に増えている。また、インターネットは従来の配給方式に比べて情報伝達効率を飛躍的に向上させ、出版業界を劇的に変えた。然しながら、多くのオンライン情報は一元的に効率的にパッケージ化されておらず、情報形式及び分類の仕方も不確かである。このため、一貫した利便性の高い方法により自分に必要な情報を検索して取得可能になることがユーザーにとって重要であった。
【００１１】
ウェブサービスは相互運用可能なウェブベースのソフトウェアサービスであり、ユーザーが有料または無料で利用できる。相互運用性とは、ユーザーがウェブサービスを通して他のウェブサービスにアクセスできることを意味する。ウェブサービスではあらゆるプラットフォームの複数のアプリケーションプログラムまたはシステム構造が結合され、消費者やユーザーに対して総合的なサービスが提供されている。
【００１２】
カタログが多種多様なオプションを含んでいる場合、ユーザーがカタログ全てを閲覧するには時間がかかる。従来のカタログの情報形式がどのようなものであっても、現在のところ最大限に利用されてはいない。また、カタログは大量の自由浮動情報であるため、正しく取得されて利用されれば、ベンダーと消費者との間でよりスマートで柔軟性の高い商取引が可能になる。
【００１３】
従来の電子書籍企業、例えばＫｏｔｏｂｅｅ出版社ではオーサリングソフトウェアを提供し、ユーザーが多くの有用なツールを具備するマルチプラットフォームに対応したインタラクティブな電子書籍を作成可能にし、作成された電子書籍が複数のプラットフォーム上で動作するようにしている。作成された電子書籍はアンドロイド（Ａｎｄｒｏｉｄ）システムやｉＯＳシステムのネイティブアプリケーションプログラムとして出力されるか、或いはウェブアプリケーションプログラムやデスクトップアプリケーションプログラムに変換される。また、電子書籍の内容はスクラッチ（ｓｃｒａｔｃｈ）言語でプログラムされるか、またはＰＤＦファイルからインポートされる。電子書籍のコンテンツの増加に伴い、ユーザーは多用途のツールを装備させ、電子書籍のアプリケーションプログラムが真のリサーチツールとなるようにしている。例えば、ユーザーが閲読する際に、視覚的にメモをとり、データベースに保存できるようになっている。然しながら、これらの電子書籍はアンドロイドシステムまたはｉＯＳシステムが要求する形式にフォーマットされているため、これらの電子書籍には依然としてプラットフォームを跨いで異なるシステムの要件を満たすことが望まれている。
【００１４】
スクラッチインタラクティブプログラムはマルチメディアオーサリングツールであり、数学や科学に関する教育及びエンターテイメントの構成主義的目的に対して、学生、学者、教師、親等がスクラッチインタラクティブプログラムを使用してアニメーション化されたプレゼンテーション録画講座を開く、実験のシミュレーションや可視化の実現、社会学のアニメ制作、インタラクティブアート及び音楽等の制作を可能にしている。スクラッチインタラクティブプログラムを使用して簡単なゲームを作ることもできる。また、スクラッチのウェブサイトでは現在あるプロジェクトを見ることができ、ユーザーは登録なしでプロジェクトの修正やテストを行える。さらにスクラッチは、ユーザーが複数のアクティブオブジェクトを有するイベント駆動型プログラミングを使用することを許可している。また、これら上記アクティブオブジェクトはスクラッチの一部であるシンプルなエディタを使用してベクター形式またはビットマップ形式の画像として作成され、或いはウェブカメラ等の外部ソースからインポートされる。但し、スクラッチインタラクティブプログラムは依然としてプラットフォームを跨いで異なるシステムの要件を満たすことが課題となっている。
【００１５】
なお、デジタルカタログの従来の技術について、電子書籍はすでにカタログとして製作された代表的なカタログ製品となっているが、インタラクティブ性に欠ける。即ち、デジタルカタログのコンテンツは操作不可能な形態であるため、デジタルカタログと閲覧者との間にはインタラクティブな関係がなく、デジタルカタログのコンテンツソースも能動的に拡充させることができない。また、デジタルカタログのカタログ形態や形式はベンダーによって設定されているため、消費者は受動的にそれを受け入れるか、修正ができたとしても制限があり、デジタルカタログ内の機能及びコンテンツソースを能動的に拡充することはできない。
【００１６】
このほか、スクラッチインタラクティブプログラムを使用して編集されたマルチメディア製品は、インタラクティブ性及び操作可能性を有するかもしれないが、コンテンツには統一性がない。また、関連するコンテンツ及びツールも一律にベンダーによって提供されるため、コンテンツソースを能動的に拡充させることはできない。さらには、一般的なウェブページのデジタルカタログを製作するのに適した態様ではない。
【００１７】
以上の説明のように、従来のデジタルカタログ及びデジタルカタログを構築する方法には改善の余地がある。
【発明の概要】
【発明が解決しようとする課題】
【００１８】
本発明は、インタラクティブなデジタルカタログを構築する方法、及び上記方法を応用するコンピューター読み取り可能な記憶媒体、並びにインタラクティブなデジタルカタログを提供することを目的とする。且つ、インタラクティブデジタルカタログは、ユーザーがいかなる制限も受けずに必要な統一要素を取得してその中にレイアウト可能であり、且つ統一要素のソースも不断で拡充され、ユーザーがインタラクティブデジタルカタログを利用して特定のタスクを実行しやすくなる。ユーザーは有線または無線方式によりインタラクティブデジタルカタログを他人と、或いはソーシャルウェブサイト上で共有或いは発行できる。
【課題を解決するための手段】
【００１９】
具体的な実施形態において、本発明のインタラクティブなデジタルカタログを構築する方法は、少なくとも１つの操作可能な統一要素の表示及び／または管理に用いられる。前記インタラクティブなデジタルカタログを構築する方法は以下のステップを含む。先ず、少なくとも１ページのページを含むインタラクティブデジタルカタログが作成される。次いで、前記少なくとも１つの操作可能な統一要素が前記少なくとも１ページのページ上に所定のルールに基づいてレイアウトされ、前記少なくとも１つの操作可能な統一要素が表示及び管理される。
【００２０】
具体的な実施形態において、前記少なくとも１つの操作可能な統一要素は、少なくとも１つの統一情報ユニット及び／または少なくとも１つの統一ツールを含む。
【００２１】
具体的な実施形態において、前記少なくとも１つの統一情報ユニットは少なくとも１つの情報源から取得される少なくとも１つの原情報が統一された後に形成され、及び／または前記少なくとも１つの統一ツールは少なくとも１つの情報源から取得される少なくとも１つの第一オリジナルツールが統一された後に形成される。
【００２２】
具体的な実施形態において、前記少なくとも１つの統一ツールは、動的情報の表示、情報の収集、前記少なくとも１つの統一情報ユニットの操作、及び／または取引の実行に用いられる。
【００２３】
具体的な実施形態において、前記操作可能な統一要素の統一要素ソースが拡充される。
【００２４】
具体的な実施形態において、前記少なくとも１つの操作可能な統一要素はアイコン、テキスト、及び入力項目の内の少なくとも１つとして表示される。
具体的な実施形態において、前記入力項目はシングル入力項目、マルチ入力項目、テキスト入力項目、またはイベント入力項目である。
【００２５】
具体的な実施形態において、前記インタラクティブデジタルカタログは書籍の形態として表示され、且つ前記少なくとも１ページのページは少なくとも１ページのカバーページ、少なくとも１ページのインデックスページ、及び／または少なくとも１ページのコンテンツページを含む。
【００２６】
具体的な実施形態において、前記少なくとも１ページのインデックスページは、前記少なくとも１ページのコンテンツページを開くための少なくとも１つのブックマークを有する。
【００２７】
具体的な実施形態において、前記少なくとも１ページのコンテンツページは少なくとも１つのセクションとしてグループ化される。
【００２８】
具体的な実施形態において、前記少なくとも１ページのインデックスページは、前記少なくとも１つのセクションを開くための少なくとも１つのブックマークを有する。
【００２９】
具体的な実施形態において、前記インタラクティブデジタルカタログは、前記少なくとも１ページのカバーページ、前記少なくとも１ページのインデックスページ、及び前記少なくとも１ページのコンテンツページの順となるように編集される。
【００３０】
具体的な実施形態において、前記少なくとも１ページのインデックスページは前記少なくとも１ページのカバーページを含む。
【００３１】
具体的な実施形態において、前記インタラクティブデジタルカタログは３次元方式で表示されて閲覧される。
【００３２】
具体的な実施形態において、前記少なくとも１ページのページは複数枚のページを含み、且つ前記複数枚のページはＺ軸方向に沿って少なくとも互いの一部が重畳されて配列される。
【００３３】
具体的な実施形態において、前記所定のルールは前記少なくとも１つの操作可能な統一要素に対する拡大縮小、移動、及び／またはテンプレートの適用を実行してレイアウトを変更させる。
【００３４】
具体的な実施形態において、インタラクティブなデジタルカタログを構築する方法は以下のステップを更に含む。カタログランチャーが提供され、前記インタラクティブデジタルカタログが起動される。少なくとも１つのアプリケーションプログラムインタフェースが前記インタラクティブデジタルカタログに提供され、前記少なくとも１つの操作可能な統一要素の内の１つによる前記少なくとも１つの操作可能な統一要素の内の他の１つに対する管理及び／または操作が許可される。或いは、前記少なくとも１つの操作可能な統一要素の内の１つが他の１つと協力して動作することが許可される。
【００３５】
具体的な実施形態において、前記少なくとも１つの操作可能な統一要素が操作されると、前記インタラクティブデジタルカタログには、前記少なくとも１つの操作可能な統一要素に連結される少なくとも１つの実行可能なコンポーネントが前記カタログランチャーにより挿入され、タスクが実行される。
【００３６】
具体的な実施形態において、前記少なくとも１つの実行可能なコンポーネントは前記インタラクティブデジタルカタログにビルトイン及び／またはプラグインされる。
【００３７】
具体的な実施形態において、本発明のコンピューターが読み取り可能な記憶媒体は、インタラクティブデジタルカタログの構築に用いられ、少なくとも１つの操作可能な統一要素の表示及び／または管理に使用され、コンピュータープログラムを含む。また、前記コンピュータープログラムが実行される際に下述のステップが実行される。先ず、少なくとも１ページのページを含む前記インタラクティブデジタルカタログが作成される。次いで、前記少なくとも１つの操作可能な統一要素が前記少なくとも１ページのページ上に所定のルールに基づいてレイアウトされ、前記少なくとも１つの操作可能な統一要素が表示及び管理される。
【００３８】
具体的な実施形態において、前記コンピュータープログラムが実行される際に下述のステップが更に実行される。カタログランチャーが提供され、前記インタラクティブデジタルカタログが起動される。少なくとも１つのアプリケーションプログラムインタフェースが前記インタラクティブデジタルカタログに提供され、前記少なくとも１つの操作可能な統一要素の内の１つによる前記少なくとも１つの操作可能な統一要素の内の他の１つに対する管理及び／または操作が許可される。或いは、前記少なくとも１つの操作可能な統一要素の内の１つが他の１つと協力して動作することが許可される。
【００３９】
具体的な実施形態において、前記少なくとも１つの操作可能な統一要素が操作されると、前記インタラクティブデジタルカタログには、前記少なくとも１つの操作可能な統一要素に連結される少なくとも１つの実行可能なコンポーネントが挿入され、タスクが実行される。
【００４０】
具体的な実施形態において、前記少なくとも１つの実行可能なコンポーネントは前記インタラクティブデジタルカタログにビルトイン及び／またはプラグインされる。
【００４１】
具体的な実施形態において、本発明のインタラクティブなデジタルカタログは、少なくとも１ページのページを含む。前記少なくとも１ページのページは少なくとも１つの操作可能な統一要素を有し、前記少なくとも１つの操作可能な統一要素は所定のルールに基づいて前記少なくとも１ページのページ上にレイアウトされる。
【００４２】
具体的な実施形態において、前記少なくとも１つの操作可能な統一要素は、少なくとも１つの統一情報ユニット及び／または少なくとも１つの統一ツールを含む。
【００４３】
具体的な実施形態において、前記少なくとも１つの統一情報ユニットは少なくとも１つの情報源から取得される少なくとも１つの原情報が統一された後に形成される。及び／または、前記少なくとも１つの統一ツールは少なくとも１つの情報源から取得される少なくとも１つの第一オリジナルツールが統一された後に形成される。及び／または、前記少なくとも１つの統一ツールは少なくとも１つの情報源から取得される少なくとも１つの第一オリジナルツールが統一された後に形成される。
【００４４】
具体的な実施形態において、前記インタラクティブデジタルカタログは書籍の形態として表示され、且つ前記少なくとも１ページのページは少なくとも１ページのカバーページ、少なくとも１ページのインデックスページ、及び／または少なくとも１ページのコンテンツページを含む。
【００４５】
具体的な実施形態において、前記カバーページは前記少なくとも１ページのインデックスページの内の１ページとする。
【００４６】
具体的な実施形態において、前記所定のルールは前記少なくとも１つの操作可能な統一要素に対する拡大縮小、移動、及び／またはテンプレートの適用を実行してレイアウトを変更させる。
【００４７】
本発明の上述の目的及び長所は、本技術に習熟する者ならば後述の詳細な説明及び図面を参照すれば、より明確に理解できる。
【図面の簡単な説明】
【００４８】
【図１】実施形態における統一方法の実施概念の概略図である。
【図２】統一スクリプトを、個人用ワークスペースを実現するための中間言語とする好ましい概念の概略図である。
【図３】図２に示す個人用ワークスペースの好ましい配置の概略図である。
【図４】好ましい実施形態におけるワークスペースの投影方法の初期状態の概略図である。
【図５Ａ】図４に示すワークスペースの投影方法の運用概念の概略図である。
【図５Ｂ】図４に示すワークスペースの投影方法の運用概念の概略図である。
【図６】図４に示すプロジェクト可能な空間のインスタンス及び図５Ｂに示す投影されたワークスペースの相対関係の概略図である。
【図７】本発明に係るインタラクティブなデジタルカタログを構築する方法の好ましい方法のフローチャートである。
【図８】操作可能な統一要素を生成する方法の好ましい方法のフローチャートである。
【図９】統一スクリプトを編集することで図８に示すステップＳ２１０において、情報入力器をインタラクティブデジタルカタログに提供する好ましい概念の概略図である。
【図１０】図８に示すステップＳ２２０において、第一オリジナルツールに対応する統一ツールをインタラクティブデジタルカタログに提供（ビルトインまたはプラグイン）する好ましい概念の概略図である。
【図１１】本発明に係るインタラクティブデジタルカタログの操作可能な統一要素のソースの好ましい概念の概略図である。
【図１２】インタラクティブデジタルカタログ上で操作可能な統一要素を表示及び／または管理する好ましい概念の概略図である。
【図１３】インタラクティブデジタルカタログ上の操作可能な統一要素へのアクセスまたは制御が行われる好ましい概念の概略図である。
【図１４】本発明に係るインタラクティブデジタルカタログ及びそのページの連結を構築する方法の好ましい方法のフローチャートである。
【図１５】図１４に示すステップＳ８３０において、各ページの連結を構築する好ましい概念の概略図である。
【図１６】３次元方式で図１５に示すインタラクティブデジタルカタログを表示する好ましい概念の概略図である。
【図１７】図１４に示すステップＳ８２０において、インタラクティブデジタルカタログに操作可能な統一要素をレイアウトし、編集する好ましい概念の概略図である。
【図１８】図１４に示す方法に基づいてインタラクティブデジタルカタログ上でショッピングページを編集する好ましい概念の概略図である。
【図１９Ａ】本発明に係るインタラクティブデジタルカタログをニュースの発行及び意見のフィードバックに応用する好ましい編集ページの概念の概略図である。
【図１９Ｂ】３次元方式で図１９Ａに示すインタラクティブデジタルカタログを表示する好ましい概念の概略図である。
【図１９Ｃ】図１９Ａに示すインタラクティブデジタルカタログを配置するワークスペースの好ましい概念の概略図である。
【図２０】本発明の好ましい実施形態に係るコンピューターが読み取り可能な記憶媒体（ｃｏｍｐｕｔｅｒ−ｒｅａｄａｂｌｅ  ｓｔｏｒａｇｅ  ｍｅｄｉｕｍ）のブロック概略図である。
【発明を実施するための形態】
【００４９】
本発明は、以下の用語及び結論の実例を含む以下の説明により、より完全な理解を促す。簡潔にするために、本明細書において、発明の公開された内容を含む出版物が本文に参照のために引用される。
【００５０】
以下、本発明の実施形態は制限がなく、且つ本発明の各種の態様及び特徴を示すのみである。最も制限を受ける技術的意義について、本文で述べる「情報源」とは有用な情報に翻訳される符号の序列を指し、且つこれら上記有用な情報は情報の整理及びラベリングに用いられる。情報源は、ウェブサイト（例えば、インターネットサービス）、イントラネット、ソーシャルネットワーク、ソフトウェア、電子書籍、データベース、及び他の情報メディアを含む（例えば、非一時的コンピューターに用いられる記録媒体、モバイル装置の記録媒体）。また、本文で述べる「原情報」は、ファイル、ウェブページ、データベース、ポリシー、ルール、或いは関連するマシン及びサーバーがアクセス可能なあらゆる情報を含み、本文で述べる「元のツール」は、ユーティリティプログラム、ウィジェット、知的エージェントツール、アプリケーションプログラム、サービスツール、或いは関連するマシン及びサーバーがアクセス可能なあらゆる実行可能な要素を含む。但し、情報源、原情報、及び元のツールは上述のものに限定されない。
【００５１】
なお、「原情報」及び「元のツール」は共に本文で述べる「元の要素」の実施態様であり、且つ本発明の実施においては、同じまたは異なる「情報源」からの複数の「元の要素」は全て統一方法を経て複数の「統一要素」にそれぞれモデル化され、同じ作業環境で複数の「統一要素」が全て互いに互換し、協調して特定のタスクを実行できる。「統一ツール」及び「統一情報ユニット」は共に「統一要素」の実施態様である。また、本文で述べる「マテライザー（Ｍａｔｔｅｒｉｚｅｒ）」は、「元の要素」に対して統一を行う部材、装置、あるいはプログラムコードである。
【００５２】
ある実施態様では、上述の統一方法は、統一データモデルに基づいて複数の情報源の少なくとも１つの情報源から取得される原情報が再編されることにより、原情報が統一情報ユニットにモデル化され、及び／或いは他の統一データモデルに基づいて複数の情報源の少なくとも１つの情報源から取得される元のツールが再編されることにより、元のツールが統一ツールにモデル化される。上記統一データモデル及び上記他の統一データモデルは同じであるか、または異なり、且つ上述の統一方法はマテライザーにより完成される。
【００５３】
図１は実施形態における上述の統一方法の実施概念の概略図である。図１は、マテライザー９９２が統一データモデル９９３に基づいて元の要素９９１の属性及び関連リンクを再編させ、元の要素９９１が統一要素９９４にモデル化され、統一要素９９４の基本属性が元の要素のタイプ及び元の要素のロケーションを表示するリンクを含むことを図示する。
【００５４】
本実施態様では、元の要素９９１は原情報（図示せず）または元のツール（図示せず）を少なくとも含むが、但しこれに限定されない。次いで、上述の統一方法において、原情報から取得された属性が統一情報ユニット中で統一された属性に対応する場合、マテライザー９９２により統一情報ユニットが直接生成される。原情報から取得される属性が統一情報ユニット中で統一された属性に対応しない場合、先ず原情報の属性及び関連リンクに対して論理的再編が行われることにより原情報が再定義され、原情報がその属性が統一情報ユニット中で統一された属性に対応する新しい原情報に変換され、統一情報ユニットが間接的に生成される。
【００５５】
なお、元のツールがワークスペース（ｗｏｒｋｓｐａｃｅ）の作業環境に互換性がある場合、マテライザー９９２により上記統一ツールが直接生成される。元のツールがワークスペースの作業環境に互換性がない場合、アダプタ及び／或いは元のツールのソフトウェア開発キット（ＳＤＫ）により元のツールが駆動されて上記統一ツールが間接的に生成される。また、上記アダプタによりワークスペースに互換性のあるインターフェースの実装が提供される。
【００５６】
本実施形態に係る「統一方法の具体的な実施方式」、「統一要素の具体的な獲得方式」、及び「マテライザーの具体的な作動方式」は、米国特許出願第１４／３２４０６９号の「Ａ  ＭＥＴＨＯＤ  ＯＦ  ＵＮＩＦＹＩＮＧ  ＩＮＦＯＲＭＡＴＩＯＮ  ＡＮＤ  ＴＯＯＬ  ＦＲＯＭ  Ａ  ＰＬＵＲＡＬＩＴＹ  ＯＦ  ＩＮＦＯＲＭＡＴＩＯＮ  ＳＯＵＲＣＥＳ」及び中国特許出願第２０１４１０７６８５６４．Ｘ号の「複数の情報源からの情報とツールを統一する方法及び上記方法、並びに上記方法を応用するコンピュータープログラム製品及び装置」の文献を参照するため、ここでは再述しない。
【００５７】
ちなみに、上述の統一方法は、本案が採用する統一方法の実施形態にすぎず、異なる情報源の複数の元の要素を統一する方法は上述のものに限られない。本技術に習熟する者ならば実際の需要に応じて同等の効果を有するあらゆる設計変更が可能である。
【００５８】
以下では上述の説明とは異なる２つの統一方法を例示する。第一の統一方法はＧａｒｍｉｎの衛星ナビゲーションに応用されるデータ統一方法であり、Ｇａｒｍｉｎの衛星ナビゲーションの興味のある地点（Ｐｏｉｎｔ  ｏｆ  Ｉｎｔｅｒｅｓｔ、ＰＯＩ）機能は、上記データ統一方法によりその中に入力される元の地点情報（原情報）に対して統一プロセスが実行されることにより対応する統一地点情報（統一情報ユニット）が獲得される。第二の方法はアンドロイド（Ａｎｄｒｏｉｄ）（登録商標）システムに応用されるツール統一方法である。アンドロイドシステムは、Ｌｉｎｕｘ（登録商標）を基礎とするオープンソースのモバイルオペレーティングシステムである。但し、アンドロイドシステムにおけるアプリケーションプログラム（元のツール）の多くはＪａｖａ（登録商標）でプログラムされており、よってＪａｖａ（登録商標）でプログラムされたアプリケーションプログラム（元のツール）は全て上記ツール統一方法によりアンドロイドシステムに互換性のある統一アプリケーションプログラム（統一ツール）にモデル化され、アンドロイドシステム上で実行可能となる。
【００５９】
さらに、本文で述べる「ワークスペース」とは、少なくとも１つのマテライザー及び／或いは少なくとも１つのツール及び／或いは少なくとも１つの情報をインタラクティブに動作させて特定のタスクを実行させるためのワークスペースを指し、且つ少なくとも１つの情報及び／或いは少なくとも１つのツールは少なくとも１つのマテライザーによりワークスペース中に入力される。但し、情報及び／或いはツールをワークスペースに入力する方式はこれに限られない。次に、下で述べる情報入力器（ｉｎｆｏｒｍａｔｉｏｎ  ｉｍｐｏｒｔｅｒ）（図２の情報入力器９８８１、９８８２、９８８３、図６のＤｒｏｐｂｏｘ（登録商標）情報入力器９７６１’図９の情報入力器３２０、３６０及び図１０の情報入力器４２０、４５１等）は全てマテライザーの実施態様である。また、本明細書で述べる「統一スクリプト」とは、ワークスペースを実現させるための中間言語とするものを指し、且つ「統一スクリプト」により少なくとも１つのマテライザー及び／或いは少なくとも１つの情報及び／或いは少なくとも１つのツールがワークスペースに提供される（例えば、ビルトインやプラグイン）。
【００６０】
ある実施態様では、上述の少なくとも１つの情報は、少なくとも１つの情報源から取得される少なくとも１つの原情報が統一された後に形成される少なくとも１つの統一情報ユニットであり、上述の少なくとも１つのツールは、少なくとも１つの情報源から取得される少なくとも１つの元のツールが統一された後に形成される少なくとも１つの統一ツールである。ユーザーは異なるタスクに基づいて、必要な統一情報ユニット及び／或いは統一ツールを対応する情報源から（例えば、ビルトインやプラグイン）個人用ワークスペース中に加える。ゆえに、「ワークスペース」はユーザー指向の「個人用ワークスペース」である。
【００６１】
より詳しくは、図２及び図３を参照して説明する。図２は統一スクリプトを、個人用ワークスペースを実現させるための中間言語とする好ましい概念の概略図であり、図３は図２に示す個人用ワークスペースの好ましい配置の概略図である。図２及び図３はユーザーがタスクの必要に応じて、Ｄｒｏｐｂｏｘ９８２中の原情報９８５に対応する統一情報ユニット９８５’、クラウドストレージ９８３中の互換性のある元のツール９８６に対応する第一の統一ツール９８６’、及びサーバー９８４中の互換性のない元のツール９８７に対応する第二の統一ツール９８７’を個人用ワークスペース９８１中で組み合わせることを図示する。更に詳しくは、ユーザーは、先ず個人用ワークスペース９８１を実現させるための中間言語とする統一スクリプト９８０を編集し、且つ統一スクリプト９８０によりＤｒｏｐｂｏｘ９８２の情報入力器９８８１、クラウドストレージ９８３の情報入力器９８８２、及びサーバー９８４の情報入力器９８８３の設定ツールが実行される。情報入力器９８８１によりＤｒｏｐｂｏｘ９８２中の原情報９８５が統一情報ユニット９８５’に統一され、且つ個人用ワークスペース９８１に入力される。
【００６２】
図２及び図３は、クラウドストレージ９８３内に保存される元のツールが互換性のある元のツール９８６であり（すなわち、上記互換性のある元のツール９８６が個人用ワークスペース９８１中で統一ツールに用いられるコンポーネント構造と互換する）、且つ統一スクリプト９８０（その中の情報入力器９８８２が利用される）により互換性のある元のツール９８６に対応する第一の統一ツール９８６’が個人用ワークスペース９８１に提供されることを図示する。
【００６３】
図２及び図３は、サーバー９８４内に保存される元のツールが互換性のない元のツール９８７であり（すなわち、上記互換性のない元のツール９８７が個人用ワークスペース９８１中で統一ツールに用いられるコンポーネント構造と互換しない）、且つ統一スクリプト９８０（その中の互換性のあるアダプタ９８９及び情報入力器９８８３が利用される）により互換性のない元のツール９８７に対応する第二の統一ツール９８７’が個人用ワークスペース９８１に提供されることが必要であることを図示する。
【００６４】
また、図３は、ユーザーが実際の応用の必要に応じて統一情報ユニット９８５’、第一の統一ツール９８６’、及び第二の統一ツール９８７’を個人用ワークスペース９８１の特定の領域に配置させる。最後に、ユーザーが統一ツール及び統一情報ユニットの間の動作関係により（例えば、両者の間のクリック動作またはドラッグ動作）統一ツールを使用して対応する統一情報ユニットにアクセス或いは制御させることにより、必要なタスクを実行させる。
【００６５】
本実施形態で述べる「統一スクリプトを、個人用ワークスペースを実現するための中間言語とする具体的な実施方式」、「ユーザーが実際の応用の必要に応じて必要な統一情報ユニット及び／或いは必要な統一ツールを対応する情報源に基づいて個人用ワークスペース中に自由に組み合わせることでタスクを実行する具体的な実施方式」は、米国特許出願第１４／３２５４６６号の「ＭＥＴＨＯＤ  ＦＯＲ  ＰＥＲＦＯＲＭＩＮＧ  ＴＡＳＫ  ＯＮ  ＵＮＩＦＩＥＤ  ＩＮＦＯＲＭＡＴＩＯＮ  ＵＮＩＴＳ  ＩＮ  Ａ  ＰＥＲＳＯＮＡＬ  ＷＯＲＫＳＰＡＣＥ」及び中国特許出願第２０１４１０７９６５２８．４号の「パーソナルワークスペースで統一要素に対して組合せを行う方法、並びに上記方法を応用するコンピュータープログラム製品及びシステム」の文献を参照するため、ここでの詳述は省く。
【００６６】
ちなみに、上述の個人用ワークスペースはワークスペースの実施形態にすぎず、本発明に応用されるワークスペースは上述のものに限定されない。例えば、ワークスペースを実現させるための中間言語とする統一スクリプトが予め編集されて、ワークスペースが既定のマテライザー及び／或いは既定の情報及び／或いは既定のツールがビルトインされるワークスペースとなる。このようなワークスペースは単一のユーザーによる使用に限定されず、実際の応用の需要に応じて複数のユーザーが同時または別々にアクセス可能である。
【００６７】
また、本文で述べる「ワークスペース」は「ワークスペースの投影方法」により計算能力を有するあらゆる電子デバイス（例えば、携帯電話、タブレット、ノートブックコンピュータ、デスクトップコンピュータがあるが、これらに限定されるものではない）に投影され、あらゆるユーザーが計算能力を有するあらゆる電子デバイス上で「投影されたワークスペース」をアクセス可能である。
【００６８】
ある実施態様では、ワークスペースの投影方法は、先ず、統一資源識別子（ＵＲＩ）により統一スクリプトが生成させるプロジェクト可能な空間のインスタンスが取得される。統一スクリプトはマテライザー、情報、及びツールの内の少なくとも１つにより構築されるワークスペースが配置されるように定義され（例えば、前述の説明）、且つプロジェクト可能な空間のインスタンスはワークスペースに対応する投影されたワークスペースの構築に用いられ、マテライザー、情報、及びツールの内の少なくとも１つをアクセスすることでタスクを実行できるインターフェースが提供されるステップを含む。次に、プロジェクターが利用されて上記プロジェクト可能な空間のインスタンスが解析され、マテライザー、情報、及びツールの内の少なくとも１つが上記プロジェクト可能な空間のインスタンス中に配置される作業環境が構築され、投影されたワークスペースが実行され、これにより少なくとも１人のユーザー及び投影されたワークスペースがインタラクティブに動作する。
【００６９】
プロジェクターは、リモートデータステーション、プロジェクト可能な空間のインスタンスまたはプレロードされたアプリケーションプログラム中から取得されると共に互換環境を提供してプロジェクターを実行させるためのエンジンにロードされる。エンジンとしてＪａｖａ（登録商標）ｓｃｒｉｐｔエンジン（例えば、ブラウザ）、ウィンドウアプリケーションプログラム、或いはＬｉｎｕｘ（登録商標）アプリケーションプログラム等を含むが、上述のものに限定されない。また、統一スクリプトはドキュメントタイプ定義（ＤＴＤ）、拡張可能マークアップ言語スキーマ（ＸＭＬ  ｓｃｈｅｍａ）、構造化言語或いは構造化プロトコル等で宣言されることにより形成されるが、上述のものに限定されない。プロジェクト可能な空間のインスタンスはオブジェクト、拡張可能マークアップ言語（ＸＭＬ）ファイル、または構造化言語或いは構造化プロトコル等で生成されるインスタンスであるが、上述のものに限定されない。
【００７０】
図４は好ましい実施形態における上述のワークスペースの投影方法の初期状態の概略図であり、図５Ａ及び図５Ｂは図４に示すワークスペースの投影方法の運用概念の概略図であり、図６は図４に示すプロジェクト可能な空間のインスタンス及び図５Ｂに示す投影されたワークスペースの相対関係の概略図である。
【００７１】
図４に示す初期状態において、相互に通信（例えば、ネットワーク接続を通して）する第一電子デバイス９７１及び第二電子デバイス９７２が存在し、且つ第一電子デバイス９７１にはプロジェクト可能な空間のインスタンス９７３が保存され、第二電子デバイス９７２にはプロジェクター９７４が内蔵される。
【００７２】
なお、統一スクリプト９７３１はドキュメントタイプ定義（ＤＴＤ）で宣言されることにより形成され、且つ少なくとも１つの情報入力器（マテライザーの実施態様）及び／または少なくとも１つの統一情報ユニット及び／または少なくとも１つの統一ツールにより構築されるワークスペースが配置されるように定義される。プロジェクト可能な空間のインスタンス９７３は拡張可能マークアップ言語（ＸＭＬ）で生成されるンスタンスである。図６に示すように、ワークスペースに対応する投影されたワークスペース９７６の構築に用いられ、且つ情報入力器及び／または統一情報ユニット及び／または統一ツールがその中に加えられるか、またはその中から削除される。
【００７３】
第二電子デバイス９７２のプロジェクター９７４は第二電子デバイス９７２上に投影されたワークスペース９７６の動作に用いられる作業環境９７５を構築させ、且つマイクロカーネル９７７（図６参照）が上記作業環境９７５に提供されることにより、投影されたワークスペース９７６中に加えられる少なくとも１つの情報入力器及び／または少なくとも１つの統一情報ユニット及び／または少なくとも１つの統一ツールが装備される。第二電子デバイス９７２が統一資源識別子により第一電子デバイス９７１におけるプロジェクト可能な空間のインスタンス９７３を取得させると、第二電子デバイス９７２のプロジェクター９７４によりプロジェクト可能な空間のインスタンス９７３に対する解析が開始される。これは図５Ａに示される。また、プロジェクト可能な空間のインスタンス９７３がプロジェクター９７４により解析された後、投影されたワークスペース９７６がプロジェクト可能な空間のインスタンス９７３により解析された内容に基づいて作業環境９７５上に構築される。これは図５Ｂに示される。これにより、第二電子デバイス９７２のユーザーは第二電子デバイス９７２を介して投影されたワークスペース９７６とのインタラクティブな動作が可能になり、関連するタスクが実行できる。
【００７４】
以下では図６に更に示す使用状況を例に、上述の統一スクリプト９７３１、プロジェクト可能な空間のインスタンス９７３及び投影されたワークスペース９７６の相互の関係について説明する。図６に示す使用状況は、指定されたインターネット空間内に保存されるｊｐｇフォーマットイメージファイル及びｇｉｆフォーマットイメージファイルを読み取り可能であり、且つユーザーに観察させるための投影されたワークスペースが構築される。また、本使用状況において、統一スクリプト９７３１はドキュメントタイプ定義（ＤＴＤ）で宣言され、プロジェクト可能な空間のインスタンス９７３は拡張可能マークアップ言語（ＸＭＬ）で生成される。
【００７５】
また、プロジェクト可能な空間のインスタンス９７３には個情報入力器及び統一ツールが加えられ、且つ情報入力器は少なくとも１つの原情報に対応する少なくとも１つの統一情報ユニットを投影されたワークスペース９７６に入力させるために用いられる。本使用状況において、情報入力器はＤｒｏｐｂｏｘ入力器であり（即ち、破線枠９７６１として図示する）、原情報はＤｒｏｐｂｏｘ９７９情報源中のｊｐｇフォーマットイメージファイル９７９１、９７９２及びｇｉｆフォーマットイメージファイル９７９３であり、統一情報ユニットは後述する統一ｊｐｇフォーマットイメージファイル９７９１’、９７９２’及び統一ｇｉｆフォーマットイメージファイル９７９３’であり、統一ツールはイメージビューアであり（即ち、破線枠９７６２として図示する）、投影されたワークスペース９７６に入力されるイメージファイルの読み取りに用いられる。
【００７６】
さらに、投影されたワークスペース９７６はプロジェクト可能な空間のインスタンス９７３が第二電子デバイス９７２のプロジェクター９７４により解析された後に構築され、投影されたワークスペース９７６上にＤｒｏｐｂｏｘ入力器９７６１’（図示する破線枠９７６１に対応する）及びイメージビューア９７６２’（図示する破線枠９７６２に対応する）が配置され、Ｄｒｏｐｂｏｘ入力器９７６１’によりＤｒｏｐｂｏｘ９７９情報源中のｊｐｇフォーマットイメージファイル９７９１、９７９２及びｇｉｆフォーマットイメージファイル９７９３が統一されると共に投影されたワークスペース９７６に入力され、ｊｐｇフォーマットイメージファイル９７９１、９７９２及びｇｉｆフォーマットイメージファイル９７９３にそれぞれ対応する統一ｊｐｇフォーマットイメージファイル９７９１’、９７９２’及び統一ｇｉｆフォーマットイメージファイル９７９３’が投影されたワークスペース９７６上で表示される。次いで、第二電子デバイス９７２のユーザーが特定の操作方式により統一ｊｐｇフォーマットイメージファイル９７９１’、９７９２’及び統一ｇｉｆフォーマットイメージファイル９７９３’の内の何れか１つに対する操作を行うと（例えば、統一ｊｐｇフォーマットイメージファイル９７９１’、９７９２’及び統一ｇｉｆフォーマットイメージファイル９７９３’の内の何れか１つをクリックする、または統一ｊｐｇフォーマットイメージファイル９７９１’、９７９２’及び統一ｇｉｆフォーマットイメージファイル９７９３’の内の何れか１つをイメージビューア９７６２’までドラッグさせる）、イメージビューア９７６２’により統一ｊｐｇフォーマットイメージファイル９７９１’、９７９２’及び統一ｇｉｆフォーマットイメージファイル９７９３’の内の何れか１つの内容が読み取られて表示され、ユーザーが観察できるようになる。また、上述のＤｒｏｐｂｏｘ入力器９７６１’及びイメージビューア９７６２’はマイクロカーネル９７７により装備される。
【００７７】
ちなみに、プロジェクト可能な空間のインスタンス９７３の統一資源識別子はハイパーテキスト・トランスファー・プロトコル（ＨＴＴＰ）統一資源識別子またはファイル転送プロトコル（ＦＴＰ）統一資源識別子である。第一電子デバイス９７１及び第二電子デバイス９７２が統合装置である場合、プロジェクト可能な空間のインスタンス９７３の統一資源識別子もローカルファイル統一資源識別子である。但し、統一資源識別子の形態は上述のものに限られない。
【００７８】
本実施形態で述べる「ワークスペースの投影方法の具体的な獲得方式」は、米国特許出願第１４／５７７７７２号の「ＭＥＴＨＯＤ  ＯＦ  ＰＲＯＪＥＣＴＩＮＧ  Ａ  ＷＯＲＫＳＰＡＣＥ  ＡＮＤ  ＳＹＳＴＥＭ  ＵＳＩＮＧ  ＴＨＥ  ＳＡＭＥ」及び中国特許出願第２０１４１０８１４１３８．５号の「ワークスペースの投影方法及び上記ワークスペースの投影方法を応用するシステム」の文献を参照するため、ここでの詳述は省く。
【００７９】
ちなみに、上述のワークスペースの投影方法は本発明のワークスペースが計算能力を有するあらゆる電子デバイスに投影される投影方法の１つにすぎず、ワークスペースが計算能力を有するあらゆる電子デバイスに投影される投影方法は上述のものに限られない。本技術に習熟する者ならば実際の応用の要求に応じて同等の効果を達成させるあらゆる設計変更が可能である。
【００８０】
以下では、操作可能な統一要素の表示及び管理に用いられるインタラクティブデジタルカタログの構築方法について更に説明する。インタラクティブデジタルカタログは上述の「ワークスペース」または「個人用ワークスペース」の実施態様とする。本発明に係るインタラクティブなデジタルカタログを構築する方法、上記方法を応用するコンピューター読み取り可能な記憶媒体、及びインタラクティブなデジタルカタログは異なる形式で実施され、以下の文中で提示する実施形態に限定されない。また、以下の実施形態は本発明の異なる態様及び特徴の代表例にすぎず、本発明の特許出願の範囲を制限するものではない。
【００８１】
図７は本発明に係るインタラクティブなデジタルカタログを構築する方法の好ましい方法のフローチャートである。インタラクティブなデジタルカタログを構築する方法は少なくとも１つの操作可能な統一要素の表示及び／または管理に用いられ、且つ以下のステップを含む。先ず、少なくとも１ページのページを含むインタラクティブデジタルカタログが作成される（Ｓ１１０）。次いで、少なくとも１つの操作可能な統一要素が上記少なくとも１ページのページ上に所定のルールに基づいてレイアウトされ、上記少なくとも１つの操作可能な統一要素が表示及び／または管理される（Ｓ１２０）。
【００８２】
好ましい実施態様において、上記少なくとも１つの操作可能な統一要素は少なくとも１つの統一情報ユニット、少なくとも１つの統一ツール、或いは以上の２つの組み合わせを含む。また、統一情報ユニットは少なくとも１つの情報源から取得される原情報が操作可能な統一要素処理システムにより統一された後に形成され、統一ツールも少なくとも１つの情報源から取得される第一オリジナルツールが操作可能な統一要素処理システムにより統一された後に形成される。
【００８３】
詳しくは、図８は操作可能な統一要素を生成する方法の好ましい方法のフローチャートである。図８に図示するように、操作可能な統一要素処理システムは以下のステップの実行に用いられる。先ず、少なくとも１つの情報入力器がインタラクティブデジタルカタログに提供される（Ｓ２１０）。次いで、上記少なくとも１つの情報入力器を利用して複数の情報源の中の少なくとも１つの情報源から少なくとも１つの原情報及び／または少なくとも１つの第一オリジナルツールが取得され、且つ上記少なくとも１つの原情報及び／または上記少なくとも１つの第一オリジナルツールが少なくとも１つの統一情報ユニット及び／または少なくとも１つの統一ツールとして統一された後、インタラクティブデジタルカタログに提供される（Ｓ２２０）。
【００８４】
更に詳しくは、先ず、本発明の中間言語とする統一スクリプトを編集し、異なる形式の変換機能を有する情報入力器が統一スクリプトに提供（ビルトインまたはプラグイン）されることが許可される。また、上記変換機能により、異なる情報源からの原情報が統一情報ユニットとして変換され、異なる情報源からの第一オリジナルツールが統一ツールとして変換される。統一スクリプトはドキュメントタイプ定義（ＤＴＤ）、拡張可能マークアップ言語スキーマ（ＸＭＬ  ｓｃｈｅｍａ）、構造化言語或いは構造化プロトコル等で宣言されることにより形成され、且つ情報入力器はＪａｖａ（登録商標）  Ｂｅａｎ、ＣＯＭ、或いは挿入可能なあらゆるコンポーネント構造で実現可能であり、上述のものに限定されない。
【００８５】
よって、本発明は同じまたは異なる多くの情報源から統一情報ユニット及び／または統一ツールが収集されてインタラクティブデジタルカタログとして構成されることにより、ユーザーが異なるタスクを実行するために使用可能になる。
【００８６】
図９は統一スクリプトを編集することにより、図８に示すステップＳ２１０における情報入力器をインタラクティブデジタルカタログに提供することを実現する好ましい概念の概略図である。図９に図示するように、統一スクリプト３３０をインタラクティブデジタルカタログ３４０の中間言語とし、且つ統一スクリプト３３０によりＤｒｏｐｂｏｘ３１０の情報入力器３２０及びＧｏｏｇｌｅクラウドストレージ３５０の情報入力器３６０を設置させる。Ｄｒｏｐｂｏｘ３１０の情報入力器３２０及びＧｏｏｇｌｅクラウドストレージ３５０の情報入力器３６０は統一プロセスを経た後、同一のインタラクティブデジタルカタログ３４０に一緒に入れられる。
【００８７】
更に詳しくは、図９に図示するように、インタラクティブデジタルカタログ３４０の情報源はＤｒｏｐｂｏｘ３１０であり、且つＤｒｏｐｂｏｘ３１０の情報入力器３２０はＤｒｏｐｂｏｘ３１０の情報を統一情報ユニットとして統一させるためのソフトウェアコンポーネントである。Ｄｒｏｐｂｏｘ３１０の情報入力器３２０は統一スクリプト３３０により設置され、且つインタラクティブデジタルカタログ３４０のソースプロバイダの１つとしてもよい。
【００８８】
なお、インタラクティブデジタルカタログ３４０の他の情報源はＧｏｏｇｌｅクラウドストレージ３５０であり、且つＧｏｏｇｌｅクラウドストレージ３５０の情報入力器３６０はＧｏｏｇｌｅクラウドストレージ３５０の情報を統一情報ユニットとして統一させるためのソフトウェアコンポーネントである。Ｇｏｏｇｌｅクラウドストレージ２５の情報入力器３６０も統一スクリプト３３０により設置され、且つインタラクティブデジタルカタログ３４０のソースプロバイダの１つとしてもよい。
【００８９】
さらに、本発明はタスクの違いに応じて複数の第一オリジナルツールに対応する複数の統一ツールがインタラクティブデジタルカタログに収集される。但し、第一オリジナルツールは互換性のあるツール及び互換性のないツールに区分される。第一オリジナルツールが互換性のあるツールである場合、統一スクリプトにより少なくとも１つの情報源から取得される第一オリジナルツールがインタラクティブデジタルカタログに直接提供（ビルトインまたはプラグイン）される。第一オリジナルツールが互換性のないツールである場合、互換性のあるアダプタ及び統一スクリプトにより、少なくとも１つの情報源から取得される第一オリジナルツールがインタラクティブデジタルカタログに間接的に提供（ビルトインまたはプラグイン）される。なお、互換性のあるツール及び互換性のあるアダプタはどちらも統一ツールと見做される。
【００９０】
図１０は図８に示すステップＳ２２０において、第一オリジナルツールに対応する統一ツールがインタラクティブデジタルカタログに提供（ビルトインまたはプラグイン）される好ましい概念の概略図である。先ず、第一オリジナルツールが互換性のあるツールである場合について説明する。図１０において、第一オリジナルツールは情報源（例えば、ベンダーから提供される情報源）に存在する互換性ツール４１０であり、且つ互換性ツール４１０のコンポーネントインターフェースはインタラクティブデジタルカタログ４４０中で統一ツールに用いられるコンポーネントアーキテクチャとの互換性があるため、互換性ツール４１０は互換性のある統一ツールと推定され、且つ統一スクリプト４３０により（その中の情報入力器４２０が利用される）互換性ツール４１０がインタラクティブデジタルカタログ４４０に直接提供（ビルトインまたはプラグイン）され、互換性ツール４１０の特定の機能が実行される。
【００９１】
続いて、第一オリジナルツールが互換性のないツールである場合について説明する。図１０において、他の第一オリジナルツールは他の情報源に存在するマイクロソフト（Ｍｉｃｒｏｓｏｆｔ）Ｗｏｒｄツール４５０であり、且つＭｉｃｒｏｓｏｆｔ  Ｗｏｒｄツール４５０のコンポーネントインターフェースはインタラクティブデジタルカタログ４４０中で統一ツールに用いられるコンポーネントアーキテクチャとの互換性がないため、インタラクティブデジタルカタログ４４０中で統一ツールに用いられるコンポーネントアーキテクチャとの互換性があるアダプタ４５２が必要となる。次いで、統一スクリプト４３０（その中の互換性のあるアダプタ４５２及び／または情報入力器４５１が利用される）により互換性のないＭｉｃｒｏｓｏｆｔ  Ｗｏｒｄツール４５０がインタラクティブデジタルカタログ４４０に提供（ビルトインまたはプラグイン）され、Ｍｉｃｒｏｓｏｆｔ  Ｗｏｒｄツール４５０の特定の機能が実行される。上述の図１０に対する説明のように、互換性のあるツール及び互換性のないツールはどちらも同じインタラクティブデジタルカタログ４４０中に統一され、何らかのタスクを実行させる。
【００９２】
上述の説明のように、互換性のあるツール及び互換性のないツールはどちらも統一された後に同一のインタラクティブデジタルカタログに入れられる。よって、インタラクティブデジタルカタログには多くの統一ツールが装備され、且つ統一ツールにより提供される機能的特徴も特定の統一情報ユニットの特徴を示すか、特定の統一情報ユニットの特徴として解釈される。即ち、統一スクリプトにより各第一オリジナルツールが統一ツールとして統一された後、これら上記統一ツールにより対応する統一情報ユニットの処理が行われることによってタスクが完遂される。
【００９３】
このほか、異なる統一ツールは異なる機能をそれぞれ有し、例えば、動的情報の表示、情報収集、統一情報ユニットの操作、及び／または取引の実行等があるが、但し上述のものに制限されない。本案の統一ツールは、アイコン、テキスト、入力項目（例えば、シングル入力項目、マルチ入力項目、テキスト入力項目、或いはイベント入力項目等）、または以上の３つの任意の組み合わせとして表示される。例えば、統一ツールがアンケートツールである場合、表示されるインターフェースには、アンケートの各質問の答えにはシングル入力項目またはマルチ入力項目が配置され、意見の記入部分にはテキスト入力項目が採用され、オンライン提出機能としてイベント入力項目が採用され、イベント入力項目がアクセスされた後、コンピュータープログラムまたはブラウザによりオンライン提出機能が実行される。
【００９４】
図１１は本発明に係るインタラクティブデジタルカタログの操作可能な統一要素のソースの好ましい概念の概略図である。図１１に示すように、統一要素ソースレジストリ５１０、例えばウェブサーバーは、統一要素ソースレジストリ５１０により受信される原情報及び／または第一オリジナルツールを統一させるための操作可能な統一要素処理システム５１１を含む。ベンダー、例えばｅＢａｙ５２０及びＧｏｏｇｌｅ５３０は、ツール（ツールセット）を個別に開発して統一要素ソースレジストリ５１０に登録できる。即ち、統一要素ソースレジストリ５１０には多くのベンダーが開発した様々なツール（ツールセット）を登録できる。特に、ベンダーが開発したツール（ツールセット）が予め統一ツール（ツールセット）として統一され、互換性のあるツール（ツールセット）と見做されて、統一要素ソースレジストリ５１０に直接登録される。ベンダーが開発したツール（ツールセット）が互換性のないツール（ツールセット）を含む場合、統一要素ソースレジストリ５１０内の操作可能な統一要素処理システム５１１が統一スクリプト（図示せず）により、ベンダーが開発したツール（ツールセット）を統一ツール（ツールセット）として統一させる。また、Ｄｒｏｐｂｏｘ５４０に保存される原情報も統一要素ソースレジストリ５１０にロードされる操作可能な統一要素処理システム５１１及び統一スクリプトにより構成されると共に統一情報ユニットとして統一される。
【００９５】
さらに、好ましい実施態様において、ブラウザ５５０上のカタログランチャー５６０により統一要素ソースツール５８０を有するインタラクティブデジタルカタログ５７０が起動される。カタログランチャー５６０は上述の「プロジェクター」の実施態様と見做され、且つ統一要素ソースツール５８０は統一要素ソースレジストリ５１０に接続され、統一要素ソースレジストリ５１０からｅＢａｙ５２０の統一ツール（ツールセット）、Ｇｏｏｇｌｅ５３０の統一ツール（ツールセット）、またはＤｒｏｐｂｏｘ５４０の統一情報ユニットがダウンロードされる。これにより、ユーザーはインタラクティブデジタルカタログ５７０の統一要素ソースツール５８０を利用してインタラクティブデジタルカタログ５７０のページ上でｅＢａｙ５２０の統一ツール（ツールセット）、Ｇｏｏｇｌｅ５３０の統一ツール（ツールセット）を使用可能になり、またはＤｒｏｐｂｏｘ５４０の統一情報ユニットを閲覧可能になる。
【００９６】
更に詳しくは、より多くのベンダーやデベロッパーがより多くのツール（ツールセット）を開発して統一要素ソースレジストリ５１０に登録することで、統一要素ソースツール５８０により取得される操作可能な統一要素が多様化する。すなわち、好ましい実施態様において、操作可能な統一要素の統一要素ソースが不断で拡充され、ユーザーがより便利にインタラクティブデジタルカタログ５７０内の統一要素ソースツール５８０から多種多様な操作可能な統一ツール（ツールセット）を取得することが可能になり、様々なタスクの実行及び完遂が可能になる。
【００９７】
ちなみに、上述の「ブラウザ」とは、限定するものではないが、アプリケーションソフトウェアを含み、ウェブサーバーまたはファイルシステム内にある各種ファイルの表示に用いられ、ユーザーがこれらファイルをインタラクティブに使用できるようにするものを指す。即ち、ブラウザにはワールド・ワイド・ウェブまたはローカルエリア・ネットワーク内のテキスト、画像、或いは他の情報が表示され、これらのテキスト、画像、或いは他の情報は他のウェブサイトのハイパーリンクにリンクされる。よって、ユーザーが高速且つ容易に閲覧可能になる。
【００９８】
図１２はインタラクティブデジタルカタログ上で操作可能な統一要素が表示及び／または管理される好ましい概念の概略図である。図１２に示すように、ブラウザ６００上のカタログランチャー６１０によりアプリケーションプログラムインタフェース（ＡＰＩ）６２０及びインタラクティブデジタルカタログ６３０が起動される。インタラクティブデジタルカタログ６３０は第一操作可能な統一要素６４０と、第二操作可能な統一要素６５０と、第三操作可能な統一要素６６０とを含み、且つ第一操作可能な統一要素６４０及び第二操作可能な統一要素６５０は特定の機能を有する統一ツールである。ここでは、特定の機能とは、統計、描画、テキスト処理、検索、取引、或いは配置等の機能を含むが、但し上述のものに限定されない。
【００９９】
さらに、操作過程において、操作可能な統一要素が起動されると対応する第一オリジナルツールが駆動され、実行可能なコンポーネントにより、特定の機能が実行される。例えば、第一操作可能な統一要素６４０及び第二操作可能な統一要素６５０がそれぞれアンケートファイル及び統計プログラムである場合、第一操作可能な統一要素６４０がユーザーにより起動された後、アンケート記入ツールが出現して表示される。アンケート記入ツールは第一操作可能な統一要素６４０に対応する第一オリジナルツール６４１であり、ユーザーがアンケートデータを入力できるようになる。また、ユーザーが入力したアンケートデータはアプリケーションプログラムインタフェース６２０によりブラウザ６００の保存スペース６７０に記入される。更には、ユーザーにより第二操作可能な統一要素６５０が起動された後、統計ツールが起動される。統計ツールは第二操作可能な統一要素６５０に対応する第二オリジナルツール６５１である。アプリケーションプログラムインタフェース６２０により保存スペース６７０に保存されるアンケートデータが読み取られ、且つアンケートデータに対する統計的分析が行われる。これにより、ユーザーは第一操作可能な統一要素６４０及び第二操作可能な統一要素６５０により対応する第一オリジナルツール６４１及び第二オリジナルツール６５１をそれぞれ駆動させ、アンケート調査及び統計のタスクを完遂できる。
【０１００】
また、カタログランチャー６１０のアプリケーションプログラムインタフェース６２０は、操作可能な統一要素が実行可能なコンポーネントにより他の操作可能な統一要素に対する管理、操作を行うこと、または他の操作可能な統一要素と協力して動作することを許可する。即ち、アプリケーションプログラムインタフェース６２０は複数の操作可能な統一要素の間でインタラクションを発生させる。
【０１０１】
また、好ましい実施態様において、操作可能な統一要素のコンテンツが情報またはデータ（例えば、ニュースコンテンツやデータ表等）、例えば第三操作可能な統一要素６６０のみを含む場合、ユーザーにより第三操作可能な統一要素６６０が起動されると、第三操作可能な統一要素６６０に対応するビューア６６１が起動され、ユーザーが第三操作可能な統一要素６６０の情報やデータを閲覧可能になる。
【０１０２】
図１３はインタラクティブデジタルカタログ上の操作可能な統一要素がアクセスまたは制御される好ましい概念の概略図である。図１３に示すように、操作可能な統一要素はＤｒｏｐｂｏｘからのＰＤＦファイル７２０と、ＧｏｏｇｌｅクラウドストレージからのＷｏｒｄファイル７３０と、Ｇｏｏｇｌｅドキュメントビューア７４０と、Ａｄｏｂｅ  ＰＤＦリーダー７５０とを含み、且つＤｒｏｐｂｏｘからのＰＤＦファイル７２０及びＧｏｏｇｌｅクラウドストレージからのＷｏｒｄファイル７３０は共にインタラクティブデジタルカタログ７１０のページ中に表示される。
【０１０３】
好ましい実施態様において、Ｇｏｏｇｌｅドキュメントビューア及びＡｄｏｂｅ  ＰＤＦリーダー７５０は予めインタラクティブデジタルカタログ７１０中に配置され、ユーザーがインタラクティブデジタルカタログ７１０中でＤｒｏｐｂｏｘからのＰＤＦファイル７２０を起動またはクリックさせると、対応する閲覧ツール（即ち、Ａｄｏｂｅ  ＰＤＦリーダー７５０）が起動され、ＰＤＦファイル７２０のコンテンツが表示され、ユーザーが閲覧できるようになる。同様に、ユーザーがインタラクティブデジタルカタログ７１０中でＧｏｏｇｌｅクラウドストレージからのＷｏｒｄファイル７３０を起動またはクリックさせると、対応する閲覧ツール（即ち、Ｇｏｏｇｌｅドキュメントビューア７４０）が起動され、Ｗｏｒｄファイル７３０のコンテンツが表示され、ユーザーが閲覧できるようになる。
【０１０４】
総合すると、インタラクティブデジタルカタログのページ上では、クリックまたはドラッグ操作によって閲覧が可能になる。例えば、ユーザーがＧｏｏｇｌｅクラウドストレージからのＷｏｒｄファイル７３０を直接クリックすると、インタラクティブデジタルカタログ７１０が検索を行うと共にクリックされたドキュメントの属性に基づいて適合する統一ツールが選択され、クリックされたドキュメントのコンテンツが表示される。これにより、ＧｏｏｇｌｅクラウドストレージからのＷｏｒｄファイル７３０がＧｏｏｇｌｅドキュメントビューア７４０によって開かれて表示され、ユーザーが閲覧可能になる。
【０１０５】
また、インタラクティブデジタルカタログの統一ツール及び統一情報ユニットの間の操作関係は他の方式（例えば、両者の間のドラッグ動作）によって確立されてもよい。統一ツール及び統一情報ユニットの間の操作関係が確立された後、ユーザーは統一ツールを使用して対応する統一情報ユニットに対するアクセスまたは制御を行い、特定のタスクを実行可能となる。例えば、統一ツール及び統一情報ユニットの間のドラッグ動作は以下の２種類の設定を有する。第一の設定は、アクセスまたは制御したい統一情報ユニットをドラッグさせて対応する統一ツール（アクセスまたは制御機能を有する）にドロップさせ、統一情報ユニットに対するアクセスまたは制御を可能にする。第二の設定は、統一情報ユニットにアクセスまたは制御するための統一ツールをドラッグさせてアクセスまたは制御される統一情報ユニットにドロップさせ、統一情報ユニットに対するアクセスまたは制御を可能にする。これにより、ユーザーは便利で効率的に特定のタスクを実行及び完遂可能になる。但し、上述は１つの実施形態にすぎず、統一ツール及び統一情報ユニットの間の動作関係の設定は上述のものに限定されない。
【０１０６】
よって、本発明はインタラクティブデジタルカタログ上で統一情報ユニット及び統一ツールを自由に組み合わせることができ、組み合わせられた統一情報ユニット及び統一ツールの特色及び機能がインタラクティブデジタルカタログのページ上で実行される。
【０１０７】
図１４は本発明に係るインタラクティブデジタルカタログを構築する方法及びそのページの連結方法の好ましい方法のフローチャートである。インタラクティブデジタルカタログを構築する方法及びそのページの連結方法は以下のステップを含む。先ず、カバーページと、インデックスページと、コンテンツページとを含むインタラクティブデジタルカタログが作成される（Ｓ８１０）。次いで、上記カバーページ、上記インデックスページ及び上記コンテンツページ上に操作可能な統一要素がそれぞれレイアウトされると共に編集される（Ｓ８２０）。その後、上記カバーページ、上記インデックスページ及び上記コンテンツページの間の連結ルールが確立する（Ｓ８３０）。最後に、Ｚ軸方向を有する３次元方式で上記インタラクティブデジタルカタログが表示される（Ｓ８４０）。
【０１０８】
図１５は図１４に示すステップＳ８３０において、各ページの連結が確立する好ましい概念の概略図である。図１４に示すように、好ましい実施態様において、先ず、カバーページ８１０、インデックスページ８２０、第一コンテンツページ８３１、第二コンテンツページ８３２、第三コンテンツページ８４１及び第四コンテンツページ８４２がそれぞれ作成されると共に編集される。次いで、カバーページ８１０とインデックスページ８２０との間の連結が確立し、且つカバーページ８１０とインデックスページ８２０との間のページ切換機能も提供される。
【０１０９】
次に、インデックスページ８２０上にブックマークが作成され、且つ各ブックマークは特定のセクションまたは特定のコンテンツページへの切り換えを行うように設定される。換言すれば、図１５に示すように、好ましい実施態様において、第一コンテンツページ８３１及び第二コンテンツページ８３２は第一セクション８３０としてグループ化され、第三コンテンツページ８４１及び第四コンテンツページ８４２は第二セクション（８４０）としてグループ化される。インデックスページ８２０上には第一ブックマーク８５１及び第二ブックマーク８５２が作成され、且つ第一ブックマーク８５１は第一セクション８３０の第一コンテンツページ８３１にリンクして起動させるように設定され、第二ブックマーク８５２は第二セクション８４０の第三コンテンツページ８４１にリンクして起動させるように設定される。
【０１１０】
更に詳しくは、第一コンテンツページ８３１、第二コンテンツページ８３２、第三コンテンツページ８４１及び第四コンテンツページ８４２の内の何れか２ページのコンテンツページの間にも連結が確立される。これにより、ユーザーが第一コンテンツページ８３１、第二コンテンツページ８３２、第三コンテンツページ８４１、及び第四コンテンツページ８４２の内の何れか１ページのコンテンツページから他のコンテンツページまで切り換えて移動できる。選択的に、何れかのコンテンツページ上に上記コンテンツページからインデックスページ８２０まで戻るための第三ブックマーク８５３が更に設けられてもよい。これにより、インタラクティブデジタルカタログ中のページ連結関係が上述の方式により確立された後、ユーザーが本のページを捲るようにしてインタラクティブデジタルカタログ８００上の各ページを閲覧可能になる。また、実際の要求に応じて、インタラクティブデジタルカタログ８００がカバーページ８１０を含まずに、インデックスページ８２０を直接カバーとするものでもよい。
【０１１１】
図１６は３次元方式で図１５に示すインタラクティブデジタルカタログを表示する好ましい概念の概略図である。図１６に示すように、３次元において、インタラクティブデジタルカタログ８００の複数のページ（初期状態ではカバーページ８１０、インデックスページ８２０及び複数のコンテンツページ８３１、８３２、８４１、８４２の順となる）がＺ軸方向（即ち、軸方向）に沿って配列され、且つ第四コンテンツページ８４２が上記Ｚ軸方向の底部に位置され、カバーページ８１０が上記Ｚ軸方向の上部に位置される。本発明が属する技術分野において通常知識を有する者ならば、複数のページがＺ軸方向に沿って配列されることは従来の技術によるものであるため容易に理解でき、よってここでは再述しない。本文で述べる複数のページがＺ軸方向に沿って配列されるとは、１ページまたは複数のページの視覚的外観、例えばページの大きさ、形状、または少なくとも２ページの間或いは周囲のページとの境界等が調整されることと定義されるが、上述のものに限定されない。
【０１１２】
さらに、図１６に示すインタラクティブデジタルカタログ８００において、インデックスページ８２０及び第一コンテンツページ８３１、第二コンテンツページ８３２、第三コンテンツページ８４１、第四コンテンツページ８４２は上記Ｚ軸の上部には位置されないが、上記Ｚ軸方向に沿って順に配列される。また、これら上記ページの間の少なくとも一部分が重なるか上記Ｚ軸方向上の後ろのページを遮蔽させる。カバーページ８１０が上記Ｚ軸方向上の上部に位置されることにより、カバーページ８１０には他のどのページも重ねられず、ユーザーが閲覧する際に、カバーページ８１０が注目されやすいトップページとなる。
【０１１３】
なお、ユーザーはコマンドを実行してインタラクティブデジタルカタログ８００の内の何れか１ページの位置を上記Ｚ軸方向上の上部まで移動させることもできる。換言すれば、インタラクティブデジタルカタログ８００の各ページが上記コマンドに応答して移動し、カバーページ８１０をＺ軸方向の上部の位置からインタラクティブデジタルカタログ８００の最後のページの位置まで移動させたり、視界から消したりすることができる。他のページは、例えばインデックスページ８２０及び他のコンテンツページ８３１、８３２、８４１、８４２が前に向けて先に前の１ページの位置まで移動する。これにより、インデックスページ８２０が上記Ｚ軸方向上の上部まで移動し、注目されるトップページとなる。
【０１１４】
視覚効果上、インタラクティブデジタルカタログ８００の各ページ（カバーページ８１０、インデックスページ８２０及び複数のコンテンツページ８３１、８３２、８４１、８４２）の移動はユーザーに向けて湧き上がるようになり、これら上記ページの移動速度はユーザーが制御可能であり、例えば、マウス（図示せず）による制御、またはインタラクティブデジタルカタログ８００により提供される設定により制御される。但し、図１７に図示するように、インタラクティブデジタルカタログは３次元方式で表示されるが、実際の応用ではこれに限られず、インタラクティブデジタルカタログが２次元方式や４次元方式で表示されてもよい。また、ユーザーはインデックスページ８２０や他のコンテンツページ８３１、８３２、８４１、８４２上に設けられるブックマーク（例えば、第一ブックマーク８５１、第二ブックマーク８５２、或いは第三ブックマーク８５３）を使用して指定のページを直接開いて、上記指定のページを上記Ｚ軸方向上の上部に移動させ、注目されやすいトップページとしてもよい。
【０１１５】
好ましくは、限定するものではないが、操作可能な統一要素は所定のルールに基づいてインタラクティブデジタルカタログの任意のページ上にレイアウトされる。所定のルールは操作可能な統一要素に対する拡大縮小、移動、及び／またはテンプレートの適用等に用いられる。例えば、所定のルールは編集コンポーネントにより実行され、且つ編集コンポーネントはインタラクティブデジタルカタログのページ上で操作可能な統一要素に対する編集を行うための編集ツールを提供する。
【０１１６】
図１７は図１４に示すステップＳ８２０において、インタラクティブデジタルカタログに操作可能な統一要素がレイアウトされると共に編集される好ましい概念の概略図である。図１７に示すように、コンテンツページ１１００は、インデックスページまで戻るためのブックマーク１１１０と、ページ追加ボタン１１２０と、編集モードボタン１１３０とを含む。操作過程において、ユーザーはインタラクティブデジタルカタログ内の統一要素ソースツール（図示せず）を使用して統一要素ソースレジストリに対して要求を送り、必要な統一要素を取得することができる。
【０１１７】
また、ユーザーはコンテンツページ１１００上の編集モードボタン１１３０を使用して閲覧モード及び編集モードを切り換えることができる。編集モードでは、編集モードボタン１１３０によりツールリスト１１４０が出現して表示され、多くのツールを含む。各ツールはどれも特定の機能を有する統一要素であり、例えば、設定ツール１１４１、イメージファイルツール１１４２、ファイルツール１１４３、ＰＤＦファイル書き出しツール１１４４、及びリンクツール１１４５である。詳しくは、イメージファイルツール１１４２はユーザーが花等の画像をコンテンツページ１１００に挿入するために用いられ、ファイルツール１１４３はユーザーがコンテンツページ１１００にファイルを挿入するために用いられる。
【０１１８】
次に、上述のオブジェクト（花の画像やファイル）がコンテンツページ１１００に追加される過程では、同時に所定のルールを実行するための編集インターフェース１１５０が生成され、且つ編集インターフェース１１５０はオブジェクトを削除するための削除ツール１１５１と、オブジェクトにタグ付けするためのハッシュタグ付けツール１１５２と、オブジェクトのＺ軸方向上での配列を調整するためのＺ軸シーケンス調整ツール１１５３と、オブジェクトの画像を調整するための画像調整ツール１１５４と、テキストの内容の入力及び調整に用いられるテキストボックス１１５５と、を含む。最後に、ユーザーがコンテンツページ１１００に対する編集を完了させると共に編集モードボタン１１３０を使用して閲覧モードに切り換えると、編集モードで提供される多種類のツールが隠され、ユーザーが編集過程で挿入または設置させたオブジェクトのみが残され、ユーザーが閲覧可能になる。
【０１１９】
図１８は図１４に示す方法に基づいてインタラクティブデジタルカタログ上でショッピングページを編集する好ましい概念の概略図である。同様に、好ましい実施態様において、コンテンツページ１２９０にも編集モードボタン１２００を有し、ユーザーが編集モードを使用できる。また、編集モードにおいて、編集モードボタン１２００によりツールリスト１２１０が出現して表示され、且つツールリスト１２１０は車販売リストツール１２２０と、ショッピングカートツール１２３０と、支払いツール１２４０とを含む。
【０１２０】
上述したように、車販売リストツール１２２０に対応する第一オリジナルツール、ショッピングカートツール１２３０に対応する第一オリジナルツール、及び支払いツール１２４０に対応する第一オリジナルツールは、電子商取引ウェブサイトベンダー（例えば、ｅＢａｙ）により設計されて提供される。また、電子商取引ウェブサイトベンダーにより統一要素ソースレジストリにアップロードされて登録され、且つ統一要素ソースレジストリにより上述の第一オリジナルツールに対する認証及び統一処理が行われ、統一要素ソースツール（即ち、上記ツールリスト１２１０）に連結される。これにより、ツールリスト１２１０には車販売リストツール１２２０、ショッピングカートツール１２３０及び支払いツール１２４０が出現する。図１８に示すように、車販売リストツール１２２０がクリックされるとポップアップ販売ウィンドウ１２２１が出現し、各車両及び数量や価格設定等の販売設定の表示に用いられる。ショッピングカートツール１２３０は購入した商品及び金額の記録並びに表示に用いられる。また、支払いツール１２４０は現金支払いまたはクレジットカード支払いの選択項目を提供する。
【０１２１】
詳しくは、ユーザーによりインタラクティブデジタルカタログが編集される過程において、車販売リストツール１２２０によりポップアップ販売ウィンドウ１２２１が表示され、且つポップアップ販売ウィンドウ１２２１により複数の車種及びその数量並びに価格設定のオブジェクトが表示される。ユーザーがその内の１つの車種のオブジェクト１２２２をコンテンツページ１２９０まで直接ドラッグさせ、続いてユーザーがショッピングカートツール１２３０からショッピングカート機能を有するツール１２３１をドラッグさせ、最後に支払いツール１２４０に表示される現金支払いツール及びクレジットカード決済ツールを有するウィンドウ１２４１の中からクレジットカード決済ツール１２４２を選択させると共にコンテンツページ１２９０に配置させる。このようにしてショッピングページが構成される。
【０１２２】
ちなみに、オブジェクトまたはツールは全てアクティブ化され、換言すれば、コンテンツページ１２９０にはアプリケーションプログラムインタフェースがビルトインされ、コンテンツページ１２９０上の何れかの操作可能な統一要素、何れかのオブジェクト、または何れかのツール等に対して、対応する操作可能な統一要素を自動的に検索し、且つ相互の連結関係を確立させ、相互にインタラクティブに動作させる。これにより、何れかの消費者が上述のショッピングページ（即ち、コンテンツページ１２９０）で車を購入する場合、先ず購入したい車種のオブジェクト１２２２を選択し、購入する数量を入力し、その後ショッピングカート機能を有するツール１２３１により購入するコンテンツ及び合計金額を確認し、最後にクレジットカード決済ツール１２４２を使用してクレジットカードのパスワードを入力して支払いを行い、こうして車の購入プロセスが完了する。本好ましい実施形態の説明から分かるように、各ツールの取得及びページの編集により、ユーザーがショッピング機能を有するインタラクティブデジタルカタログを簡単便利に設計及び構築可能になる。当然ながら、完成したインタラクティブデジタルカタログはウェブサーバーにアップロードされるか、ウィンドウやブラウザに表示され、他の利用者が閲覧したり、操作したりすることが可能になる。
【０１２３】
図１９Ａ及び図１９Ｂについて、図１９Ａは本発明に係るインタラクティブデジタルカタログがニュースの発行及びその意見のフィードバックに応用される好ましい編集ページの概念の概略図であり、図１９Ｂは３次元方式で図１９Ａに示すインタラクティブデジタルカタログを表示する好ましい概念の概略図である。好ましい実施態様において、インタラクティブデジタルカタログ１３５０の作成目的は、アメリカのオバマ（Ｏｂａｍａ）大統領に関する週刊ニュースの発行であり、同時に意見のフィードバック及びアンケート調査を行う。図１９Ａに示すように、編集モードでは、ユーザーがコンテンツページ１３９０上のタイトル１３１１中にニュースの発行日時を入力し、且つ編集モードボタン１３００のツールリスト１３１０を使用してニュースのファイル及びオバマ大統領の画像を挿入させる。また、ツールリスト１３１０はベンダーにより製作されたフィードバックツール１３２０及びアンケートツール１３３０を更に含み、ユーザーがコンテンツページ１３９０上でフィードバックボタン１３２１及びアンケートボタン１３３１をそれぞれ追加させるために用いられる。これにより、上述の方式でユーザーが複数のコンテンツページを容易に編集できるようになり、オバマ大統領に関する週刊ニュースを収集して整理できる。
【０１２４】
さらに、ユーザーがコンテンツページ１３９０の編集を完了した後、週刊ニュースのカバーページ１３９１及びインデックスページ１３９２を更に設計し、同時に各ページの連結を確立させ、複数のページの間の切り換えを可能にする。当然ながら、ページ上にブックマークを設置させ、指定のページを開けるようにしてもよく、例えば、インデックスページ１３９２上に発行日時をタイトルとするブックマーク（「２０１４／０８／２８」、「２０１４／０９／０４」等）を設置させてもよい。これにより、ブックマークが押されたりクリックされたりすると、対応する発行日時を有するニュースのコンテンツページが開かれる。ここで、「指定のページが開かれる」とは、指定のページがＺ軸方向の上部の位置まで移動し、注目されるトップページとなることを意味する。図１９Ｂに示すように、完成後のオバマ大統領に関する週刊ニュースのインタラクティブデジタルカタログ１３５０はカバーページ１３９１と、インデックスページ１３９２と、複数のコンテンツページ１３９０とを含み、且つインタラクティブデジタルカタログ１３５０はワークスペース１３４０に置かれて３次元方式で表示され、インタラクティブデジタルカタログ１３５０の各ページ（カバーページ１３９１、インデックスページ１３９２及びコンテンツページ１３９０）は互いに少なくとも一部分が重なる方式でＺ軸方向に沿って配列される。よって、ユーザーは各ページ（カバーページ１３９１、インデックスページ１３９２及びコンテンツページ１３９０）をＺ軸方向上に前後に移動させることにより、インタラクティブデジタルカタログ１３５０の閲覧が行える。
【０１２５】
図１９Ｃは図１９Ａに示すインタラクティブデジタルカタログがワークスペースに配置される好ましい概念の概略図である。図１９Ｃに示すように、インタラクティブデジタルカタログ１３５０がその中のワークスペース１３４０に設置されると共に連絡先リスト１３６０及びソーシャルウェブサイトリンクエリア１３７０を更に含む。また、ユーザーは連絡先リスト１３６０またはソーシャルウェブサイトリンクエリア１３７０上のソーシャルウェブサイト（例えば、Ｆａｃｅｂｏｏｋ、Ｔｗｉｔｔｅｒ、或いはＬｉｎｅ）によりインタラクティブデジタルカタログ１３５０を少なくとも１つの連絡人に、或いはソーシャルウェブサイト上で共有または発行することができる。これにより、インタラクティブデジタルカタログ１３５０を受信した他のユーザーがインタラクティブデジタルカタログ１３５０のコンテンツを閲覧可能になり、同時にインタラクティブデジタルカタログ１３５０中のフィードバックボタン１３２１及び／またはアンケートボタン１３３１をクリックすることで、意見記入ウィンドウ及び／またはアンケートウィンドウが出現し、意見のフィードバックを記入したり、アンケート調査を行える。よって、最初にインタラクティブデジタルカタログ１３５０を共有または発行したユーザーが意見フィードバック及びアンケート調査結果を収集でき、その後の評価分析作業に利用できる。
【０１２６】
このほか、最初にインタラクティブデジタルカタログを共有または発行したユーザーは、他のユーザーのインタラクティブデジタルカタログに対する管理権限を設定でき、例えば、編集権限、共有権限、或いはコンテンツのアップロード権限等を設定できる。このため、オバマ大統領の週刊ニュースを有するインタラクティブデジタルカタログのコンテンツの更新作業を、最初にインタラクティブデジタルカタログを共有または発行したユーザーが単独で完成させることができる。或いは、インタラクティブデジタルカタログ１３５０を受信した他のユーザーがインタラクティブデジタルカタログ１３５０の編集権限を有するように設定し、協力して作業することもできる。
【０１２７】
好ましい実施態様において、ワークスペース１３４０にはチャットルーム１３８０が更に配置され、複数のユーザーの間でテキストによるチャット及び／またはテレビ電話を行えるようになる。これにより、インタラクティブデジタルカタログのコンテンツに関する討論を行ったり、インタラクティブデジタルカタログのコンテンツを直接キャプチャしたり、チャットルーム１３８０までドラッグすることができる。
【０１２８】
図２０は本発明の好ましい実施形態に係るコンピューター読み取り可能な記憶媒体のブロック概略図である。コンピューター読み取り可能な記憶媒体２００はインタラクティブデジタルカタログの構築に用いられ、少なくとも１つの操作可能な統一要素の表示及び／または管理が行われる。また、コンピューター読み取り可能な記憶媒体２００はコンピュータープログラム２１０を含み、コンピュータープログラム２１０が実行される際に、下述のステップが実行される。先ず、少なくとも１ページのページを含むインタラクティブデジタルカタログが作成される（Ｓ１１０）。次いで、少なくとも１つの操作可能な統一要素が上記少なくとも１ページのページ上に所定のルールに基づいてレイアウトされ、上記少なくとも１つの操作可能な統一要素が表示及び管理される（Ｓ１２０）。これら上記ステップＳ１１０、Ｓ１２０に関する具体的な実施方式は前述の説明と同じであるため、ここでは再述しない。
【０１２９】
更に詳しくは、コンピューター読み取り可能な記憶媒体２００に保存されるコンピュータープログラム２１０がコンピューター装置で実施され、且つインタラクティブデジタルカタログがコンピューター装置のグラフィカルユーザーインターフェース（ＧＵＩ）により表示される。コンピューター装置はサーバー、パソコン（デスクトップパソコン、ノートパソコン、タブレット型端末等）、携帯式電子デバイス（スマートフォン、ＰＤＡ等）、スマートウェアラブル端末（スマートウォッチ、スマートブレスレット、スマートグラス等）、或いはインターネット接続機能を有する他のあらゆる装置を含むが、上述のものに制限されない。好ましい実施態様において、コンピューター装置及び／またはコンピューター読み取り可能な記憶媒体２００はインターネットサービスプラットフォームのプロバイダーが所有する。よって、コンピューター装置及び／またはコンピューター読み取り可能な記憶媒体２００により、インタラクティブデジタルカタログの構築に使用可能なネットワークサービスがユーザーに対して提供される。
【０１３０】
以上の説明のように、他の従来の技術と比較し、本発明が提供する操作可能な統一要素を有するインタラクティブデジタルカタログは、以下の長所を更に有する。
【０１３１】
第一に、より多くのベンダーや開発者が統一要素のルールや形式に基づいて多種多様な統一要素を開発すると、追随してインタラクティブデジタルカタログの操作可能な統一要素のソースも不断で拡充される。即ち、ユーザーがより便利で簡単に必要な統一要素を取得可能になり、インタラクティブデジタルカタログを操作することでタスクを完遂することができる。
【０１３２】
第二に、従来の技術では、デジタルカタログまたはそのプログラムはベンダー或いはデベロッパーにより作成または開発されたものであり、一般大衆やユーザーは受動的に受け入れるしかない。このため、特定の制限がある中でコンテンツを調整しなければならない。翻って本発明に係るインタラクティブデジタルカタログでは、ユーザーが個人的な要求に合わせて編集、レイアウト、及び組み合わせることが可能になり、あらゆる統一要素をその中の各ページで使用可能になる。換言すれば、インタラクティブデジタルカタログは高い自由度を有し、ユーザーがいかなる制限も受けずに自分が必要な統一要素を取得させてインタラクティブデジタルカタログにレイアウトすることが可能になる。パーソナライズやカスタマイズされたインタラクティブデジタルカタログ、例えば個人用ウェブサイト、商用ウェブサイト、自伝、教育、或いは紹介等のコンテンツを主題とするインタラクティブデジタルカタログの設計が可能となる。
【０１３３】
第三に、インタラクティブデジタルカタログ中にレイアウトされて組み合わせられる複数の統一要素はカタログランチャーにより起動されるアプリケーションプログラムインタフェースにより相互にインタラクティブに動作する。即ち、統一要素が実行または作動されると、アプリケーションプログラムインタフェースにより対応する他の統一要素が検索されると共に起動され、これにより両者が協力して動作することでタスクを完遂させる。
【０１３４】
第四に、インタラクティブデジタルカタログ自体が協力して動作するプラットフォームである。複数のユーザーがインタラクティブデジタルカタログの編集権限を有する場合、これらのユーザーが同時に或いは随時編集を行ったり、協力したりして作業を行ってインタラクティブデジタルカタログを完成させることができる。例えば、オバマ大統領の一生をテーマとしたカタログを編集する場合、複数のユーザーが先ずオバマ大統領の各時代のデータ収集をそれぞれ行い、それぞれ自分が収集したデータに基づいてコンテンツページの編集及び整理を行う。最後に複数のコンテンツページを統合させて完全なインタラクティブデジタルカタログを完成させる。また、複数のユーザーは有線またはワイヤレス方式でインタラクティブデジタルカタログを共有したり、他人やソーシャルウェブサイトに発行したりすることができる。
【０１３５】
以上、本発明の実施形態について図面を参照して詳述したが、具体的な構成はこの実施形態に限られるものではなく、本発明の要旨を逸脱しない範囲の設計変更等も含まれる。
【符号の説明】
【０１３６】
２００  コンピューター読み取り可能な記憶媒体
２１０  コンピュータープログラム、
３１０  Ｄｒｏｐｂｏｘ、
３２０  Ｄｒｏｐｂｏｘの情報入力器、
３３０  統一スクリプト、
３４０  インタラクティブデジタルカタログ、
３５０  Ｇｏｏｇｌｅドライブ、
３６０  Ｇｏｏｇｌｅドライブの情報入力器、
４１０  互換性ツール、
４２０  情報入力器、
４３０  統一スクリプト、
４４０  インタラクティブデジタルカタログ、
４５０  Ｍｉｃｒｏｓｏｆｔ  Ｗｏｒｄツール、
４５１  情報入力器、
４５２  アダプタ、
５１０  統一要素ソースレジストリ、
５１１  操作可能な統一要素処理システム、
５２０  ｅｂａｙ、
５３０  Ｇｏｏｇｌｅ、
５４０  Ｄｒｏｐｂｏｘ、
５５０  ブラウザ、
５６０  カタログランチャー、
５７０  インタラクティブデジタルカタログ、
５８０  統一要素ソースツール、
６００  ブラウザ、
６１０  カタログランチャー、
６２０  アプリケーションプログラムインタフェース、
６３０  インタラクティブデジタルカタログ、
６４０  第一操作可能な統一要素、
６４１  第一オリジナルツール、
６５０  第二操作可能な統一要素、
６５１  第二オリジナルツール、
６６０  第三操作可能な統一要素、
６６１  第三ビューア、
６７０  保存スペース、
７１０  インタラクティブデジタルカタログ、
７２０  ＰＤＦファイル、
７３０  Ｗｏｒｄファイル、
７４０  Ｇｏｏｇｌｅドキュメントビューア、
７５０  Ａｄｏｂｅ  ＰＤＦリーダー、
８００  インタラクティブデジタルカタログ、
８１０  カバーページ、
８２０  インデックスページ、
８３０  第一セクション、
８３１  第一コンテンツページ、
８３２  第二コンテンツページ、
８４０  第二セクション、
８４１  第三コンテンツページ、
８４２  第四コンテンツページ、
８５１  第一ブックマーク、
８５２  第二ブックマーク、
８５３  第三ブックマーク、
９７１  第一電子デバイス、
９７２  第二電子デバイス、
９７３  プロジェクト可能な空間のインスタンス、
９７４  プロジェクター、
９７５  作業環境、
９７６  投影されたワークスペース、
９７７  マイクロカーネル、
９７９  Ｄｒｏｐｂｏｘ、
９８０  統一スクリプト、
９８１  個人用ワークスペース、
９８２  Ｄｒｏｐｂｏｘ、
９８３  クラウドストレージ、
９８４  サーバー、
９８５  原情報、
９８５’統一情報ユニット、
９８６  第一オリジナルツール、
９８６’第一統一ツール、
９８７  第一オリジナルツール、
９８７’第二統一ツール、
９９１  元の要素、
９９２  マテライザー、
９９３  統一データモデル、
９９４  統一要素、
１１００  コンテンツページ、
１１１０  ブックマーク、
１１２０  ページ追加ボタン、
１１３０  編集モードボタン、
１１４０  ツールリスト、
１１４１  設定ツール、
１１４２  イメージファイルツール、
１１４３  ファイルツール、
１１４４  ＰＤＦファイル書き出しツール、
１１４５  リンクツール、
１１５０  編集インターフェース、
１１５１  削除ツール、
１１５２  ハッシュタグ付けツール、
１１５３  Ｚ軸シーケンス調整ツール、
１１５４  画像調整ツール、
１１５５  テキストボックス、
１２００  編集モードボタン、
１２１０  ツールリスト、
１２２０  車販売リストツール、
１２２１  ポップアップ販売ウィンドウ、
１２３０  ショッピングカートツール、
１２４０  支払いツール、
１２４１  ウィンドウ、
１２４２  クレジットカード決済ツール、
１２９０  コンテンツページ、
１３００  編集モードボタン、
１３１０  ツールリスト、
１３１１  タイトル、
１３２０  フィードバックツール、
１３２１  フィードバックボタン、
１３３０  アンケートツール、
１３３１  アンケートボタン、
１３４０  ワークスペース、
１３５０  インタラクティブデジタルカタログ、
１３６０  連絡先リスト、
１３７０  ソーシャルウェブサイトリンクエリア、
１３８０  チャットルーム、
１３９０  コンテンツページ、
１３９１  カバーページ、
１３９２  インデックスページ、
９７３１  統一スクリプト、
９７６１  破線枠、
９７６１’Ｄｒｏｐｂｏｘ入力器、
９７６２  破線枠、
９７６２’イメージビューア、
９７９１  ｊｐｇフォーマットイメージファイル、
９７９１’統一ｊｐｇフォーマットイメージファイル、
９７９２  ｊｐｇフォーマットイメージファイル、
９７９２’  統一ｊｐｇフォーマットイメージファイル、
９７９３  ｇｉｆフォーマットイメージファイル、
９７９３’統一ｇｉｆフォーマットイメージファイル、
９８８１  情報入力器、
９８８２  情報入力器、
９８８３  情報入力器、
Ｓ１１０  ステップ、
Ｓ１２０  ステップ、
Ｓ２１０  ステップ、
Ｓ２２０  ステップ、
Ｓ８１０  ステップ、
Ｓ８２０  ステップ、
Ｓ８３０  ステップ、
Ｓ８４０  ステップ。
【図１】
2018500676.tif 000003
【図２】
2018500676.tif 000004
【図３】
2018500676.tif 000005
【図４】
2018500676.tif 000006
【図５Ａ】
2018500676.tif 000007
【図５Ｂ】
2018500676.tif 000008
【図６】
2018500676.tif 000009
【図７】
2018500676.tif 000010
【図８】
2018500676.tif 000011
【図９】
2018500676.tif 000012
【図１０】
2018500676.tif 000013
【図１１】
2018500676.tif 000014
【図１２】
2018500676.tif 000015
【図１３】
2018500676.tif 000016
【図１４】
2018500676.tif 000017
【図１５】
2018500676.tif 000018
【図１６】
2018500676.tif 000019
【図１７】
2018500676.tif 000020
【図１８】
2018500676.tif 000021
【図１９Ａ】
2018500676.tif 000022
【図１９Ｂ】
2018500676.tif 000023
【図１９Ｃ】
2018500676.tif 000024
【図２０】
2018500676.tif 000025
【国際調査報告】
2018500676.tif 000026
2018500676.tif 000027